(57)【要約】【課題】例えばブルーレイディスクにおいて、ＴＤＭＡアクセスインジケータの記録に失敗した場合のリカバリ手法を提案する。【解決手段】ＴＤＭＡアクセスインジケータに対して情報記録が行われるごとに、その情報記録が成功したか否かを判別する。上記情報記録が失敗したとされた場合は、この情報記録が失敗したＴＤＭＡアクセスインジケータに対応するＴＤＭＡの次にＴＤＭＳの記録が行われるべきＴＤＭＡに対し、最新のＴＤＭＳの記録を行った上で、この最新ＴＤＭＳが記録されたＴＤＭＡに対応するＴＤＭＡアクセスインジケータに対して情報記録を行う。これにより、或るＴＤＭＡに対応するＴＤＭＡアクセスインジケータの記録に失敗した場合にも、その次以降のＴＤＭＡに最新の管理情報があることが適正に示されるようにすることができ、これによって、一部アクセスインジケータの記録に失敗した場合にも、最新の管理情報が記録されるＴＤＭＡが適正に示されるようにすることができる。【選択図】図２１
2008305518.tif 000002
【特許請求の範囲】
【請求項１】
ユーザデータの記録が可能なユーザデータ記録領域と、
上記ユーザデータ記録領域に対するデータ記録に応じて更新されるべき一時的な管理情報が順次記録される第１の一時管理情報記録領域と、
上記第１の一時管理情報記録領域が上記一時的な管理情報の更新に使い切られた場合に新たに上記一時的な管理情報の記録が順次行われていくことになる一または複数の第２の一時管理情報記録領域と、
上記第２の一時管理情報記録領域の個々に対応づけられて設けられ、その情報書込の有無によって上記第２の一時管理情報記録領域の個々の利用状況を提示する領域利用状況提示領域と、が設けられている記録媒体に対して、少なくとも記録を行う記録装置であって、
上記記録媒体に対する記録を行う記録手段と、
上記記録手段に対する制御を行う制御手段とを備えると共に、
上記制御手段は、
上記領域利用状況提示領域に対して情報記録が行われたことに応じ、当該情報記録が成功したか否かを判別すると共に、この判別の結果に基づき上記情報記録が失敗したとされた場合は、この情報記録が失敗した領域利用状況提示領域に対応する第２の一時管理情報記録領域の次に上記一時的な管理情報の記録が行われるべき第２の一時管理情報記録領域に対して上記一時的な管理情報の記録を行わせた上で、この一時的な管理情報が記録された第２の一時管理情報記録領域と対応づけられた上記領域利用状況提示領域に対して情報記録が行われるように制御を行う、
ことを特徴とする記録装置。
【請求項２】
上記制御手段は、
次に上記一時的な管理情報の記録が行われるべき第２の一時管理情報記録領域が存在しないとされた場合には、ファイナライズ処理が実行されるように制御を行う、
ことを特徴とする請求項１に記載の記録装置。
【請求項３】
ユーザデータの記録が可能なユーザデータ記録領域と、上記ユーザデータ記録領域に対するデータ記録に応じて更新されるべき一時的な管理情報が順次記録される第１の一時管理情報記録領域と、上記第１の一時管理情報記録領域が上記一時的な管理情報の更新に使い切られた場合に新たに上記一時的な管理情報の記録が順次行われていくことになる一または複数の第２の一時管理情報記録領域と、上記第２の一時管理情報記録領域の個々に対応づけられて設けられ、その情報書込の有無によって上記第２の一時管理情報記録領域の個々の利用状況を提示する領域利用状況提示領域と、が設けられている記録媒体に対して、少なくとも記録を行う記録方法であって、
上記領域利用状況提示領域に対して情報記録が行われたことに応じ、当該情報記録が成功したか否かを判別すると共に、この判別の結果に基づき上記情報記録が失敗したとされた場合は、上記情報記録が失敗した上記領域利用状況提示領域に対応する第２の一時管理情報記録領域の次に上記一時的な管理情報の記録が行われるべき第２の一時管理情報記録領域に対して上記一時的な管理情報の記録を行った上で、この一時的な管理情報が記録された第２の一時管理情報記録領域と対応づけられた上記領域利用状況提示領域に対して情報記録を行う、
ことを特徴とする記録方法。
【請求項４】
ユーザデータの記録が可能なユーザデータ記録領域と、
上記ユーザデータ記録領域に対するデータ記録に応じて更新されるべき一時的な管理情報が順次記録される第１の一時管理情報記録領域と、
上記第１の一時管理情報記録領域が上記一時的な管理情報の更新に使い切られた場合に新たに上記一時的な管理情報の記録が順次行われていくことになる一または複数の第２の一時管理情報記録領域と、
上記第２の一時管理情報記録領域の個々に対応づけられて設けられ、その情報書込の有無によって上記第２の一時管理情報記録領域の個々の利用状況を提示する領域利用状況提示領域と、が設けられている記録媒体に対して、少なくとも記録を行う記録装置であって、
上記記録媒体に対する記録を行う記録手段と、
上記記録手段に対する制御を行う制御手段とを備えると共に、
上記制御手段は、
上記領域利用状況提示領域に対して情報記録が行われたことに応じ、当該情報記録が成功したか否かを判別すると共に、この判別の結果に基づき上記情報記録が失敗したとされた場合は、この情報記録が失敗した領域利用状況提示領域の次の領域利用状況提示領域に対して情報記録を行わせ、上記情報記録が成功したとされた場合には、当該情報記録の成功した領域利用状況提示領域に対応する第２の一時管理情報記録領域に対して上記一時的な管理情報が記録されるように制御を行う、
ことを特徴とする記録装置。
【請求項５】
上記制御手段は、
次の領域利用状況提示領域が存在しないとされた場合には、ファイナライズ処理が実行されるように制御を行う、
ことを特徴とする請求項４に記載の記録装置。
【請求項６】
ユーザデータの記録が可能なユーザデータ記録領域と、上記ユーザデータ記録領域に対するデータ記録に応じて更新されるべき一時的な管理情報が順次記録される第１の一時管理情報記録領域と、上記第１の一時管理情報記録領域が上記一時的な管理情報の更新に使い切られた場合に新たに上記一時的な管理情報の記録が順次行われていくことになる一または複数の第２の一時管理情報記録領域と、上記第２の一時管理情報記録領域の個々に対応づけられて設けられ、その情報書込の有無によって上記第２の一時管理情報記録領域の個々の利用状況を提示する領域利用状況提示領域と、が設けられている記録媒体に対して、少なくとも記録を行う記録方法であって、
上記領域利用状況提示領域に対して情報記録が行われたことに応じ、当該情報記録が成功したか否かを判別すると共に、この判別の結果に基づき上記情報記録が失敗したとされた場合は、この情報記録が失敗した領域利用状況提示領域の次の領域利用状況提示領域に対して情報記録を行い、上記情報記録が成功したとされた場合には、当該情報記録の成功した領域利用状況提示領域に対応する第２の一時管理情報記録領域に対して上記一時的な管理情報を記録する、
ことを特徴とする記録方法。
【発明の詳細な説明】
【技術分野】
【０００１】
本発明は、光ディスク等の記録媒体に対する少なくとも記録を行う記録装置とその方法とに関する。
【背景技術】
【０００２】
デジタルデータを記録・再生するための技術として、例えば、ＣＤ（Compact Disc），ＭＤ（Mini-Disc），ＤＶＤ（Digital Versatile Disc）などの、光ディスク（光磁気ディスクを含む）を記録メディアに用いたデータ記録技術がある。光ディスクとは、金属薄板をプラスチックで保護した円盤に、レーザ光を照射し、その反射光の変化で信号を読み取る記録メディアの総称である。
光ディスクには、例えばＣＤ、ＣＤ−ＲＯＭ、ＤＶＤ−ＲＯＭなどとして知られているように再生専用タイプのものと、ＭＤ、ＣＤ−Ｒ、ＣＤ−ＲＷ、ＤＶＤ−Ｒ、ＤＶＤ−ＲＷ、ＤＶＤ＋ＲＷ、ＤＶＤ−ＲＡＭなどで知られているようにユーザデータが記録可能なタイプがある。記録可能タイプのものは、光磁気記録方式、相変化記録方式、色素膜変化記録方式などが利用されることで、データが記録可能とされる。色素膜変化記録方式はライトワンス記録方式とも呼ばれ、一度だけデータ記録が可能で書換不能であるため、データ保存用途などに好適とされる。一方、光磁気記録方式や相変化記録方式は、データの書換が可能であり音楽、映像、ゲーム、アプリケーションプログラム等の各種コンテンツデータの記録を始めとして各種用途に利用される。
【０００３】
更に近年、ブルーレイディスク（Blu-ray Disc：登録商標）と呼ばれる高密度光ディスクが開発され、著しい大容量化が図られている。
例えばこの高密度ディスクでは、波長４０５ｎｍのレーザ（いわゆる青色レーザ）とＮＡが０．８５の対物レンズの組み合わせという条件下でデータ記録再生を行うとし、トラックピッチ０．３２μｍ、線密度０．１２μｍ／bitで、６４ＫＢ（キロバイト）のデータブロックを１つの記録再生単位として、フォーマット効率約８２％としたとき、直系１２cmのディスクに２３．３ＧＢ（ギガバイト）程度の容量を記録再生できる。
このような高密度ディスクにおいても、ライトワンス型や書換可能型が開発されている。
【０００４】
ここで、ブルーレイディスクとして、例えば追記のみが可能とされたＢＤ−Ｒ（Blu-ray Disc Recordable）では、データの記録構造やディスクの欠陥情報を管理するため、管理情報であるＴＤＭＳ（Temporary Disc Management Structure）をもち、そのＴＤＭＳをディスク上の所定位置に設けられている管理情報記録領域としてのＴＤＭＡ（Temporary Disc Management Area）に追記していくよう定められている。最後に追記されたＴＤＭＳが、有効なＴＤＭＳである（例えば図５を参照）。
このＴＤＭＡは、ディスク内周のリードイン領域やデータ領域に複数個設けられ、それぞれＴＤＭＡｎ（ｎ＝０、１、２、……）のように通し番号が付せられている。そして、このＴＤＭＡはＴＤＭＡ０、ＴＤＭＡ１、ＴＤＭＡ２、……のように番号順に使用するとともに、各ＴＤＭＡに対してＴＤＭＳを先頭から順に連続して記録するよう定められている。
【０００５】
そして、ＢＤ−Ｒには、どのＴＤＭＡが有効であるか（すなわち、どのＴＤＭＡに最新のＴＤＭＳが書き込まれているか）を示すＴＤＭＡアクセスインジケータが書き込まれる領域が、ＴＤＭＡ０（第１の一時管理情報記録領域）の先頭に確保されている。
この場合、最新のＴＤＭＳがＴＤＭＡ０に書き込まれている状態では、ＴＤＭＡアクセスインジケータには全く書き込みされない。このＴＤＭＡ０がＴＤＭＳの更新に使い切られ、ＴＤＭＳが次のＴＤＭＡ１に書き込まれる段階で、当該ＴＤＭＡ１に最新情報があることを示すためにＴＤＭＡ１アクセスインジケータに対して書き込みが行われる。以降も同様に、当該ＴＤＭＡ１が更新に使い切られ、ＴＤＭＳがＴＤＭＡ２に書き込まれる段階で当該ＴＤＭＡ２に最新情報があることを示すＴＤＭＡ２アクセスインジケータに書き込みが行われることになる。
なお図５において、一番先頭のＤＭＡアクセスインジケータは、ディスクのファイナライズ時に書き込みが行われ、ディスクがファイナライズ済みかどうかを示す。
これらＴＤＭＡアクセスインジケータ、ＤＭＡアクセスインジケータは、ディスク認識時間を短縮させるために導入されたものである。
【０００６】
ここで、上記説明によれば、各ＴＤＭＡアクセスインジケータの書き込み済／未書き込みを調べることで、どのＴＤＭＡに最新情報があるかを確認することができる。具体的に、ＴＤＭＡ１のアクセスインジケータのみが書き込み済みであった場合、ＴＤＭＡ２には書き込みが行われていないことになるので、ＴＤＭＡ１から最新のＴＤＭＳを取得することで、正しくディスク認識することができる。また、ＴＤＭＡ１のアクセスインジケータと共にＴＤＭＡ２のアクセスインジケータも書き込み済みであれば、ＴＤＭＡ２から最新のＴＤＭＳを取得することで、正しくディスク認識することができる。
この際、各ＴＤＭＡアクセスインジケータが共に未書き込みであった場合には、最新情報はＴＤＭＡ０内にあるか、或いはディスクに対して書き込みが行われていないブランクディスクであるかの何れかとなる。つまり、この場合はＴＤＭＡ０に対応するアクセスインジケータが設けられないことを前提としているので、両ＴＤＭＡアクセスインジケータが未書き込みの場合、ＴＤＭＡ０内のＴＤＭＳ書き込み領域内の書き込み有無を実際に調べた上で、これが書き込み済みであるとされた場合にＴＤＭＡ０から最新のＴＤＭＳを取得して、ディスク認識を行うようにされる。
【０００７】
なお、関連する従来技術については下記特許文献を挙げることができる。
【特許文献１】特開２００６−８５８５９号公報
【特許文献２】特開２００６−１１４１０７号公報
【発明の開示】
【発明が解決しようとする課題】
【０００８】
上記のようにしてＴＤＭＡアクセスインジケータは、ディスク認識を正しく行う上で重要な情報とされている。
しかしながら、現状におけるＢＤ−Ｒの仕様上では、記録時にＴＤＭＡアクセスインジケータの書き込みに失敗した場合の処理に関しての規定はされていない。そのため、ドライブ装置によっては、ＴＤＭＡアクセスインジケータの書き込みに失敗してもこれが放置されてしまうことも考えられる。
【０００９】
このようにＴＤＭＡアクセスインジケータの書き込みに失敗してしまった場合、ＴＤＭＡアクセスインジケータによっては最新のＴＤＭＳが記録されているＴＤＭＡを正しく示すことができなくなってしまう。つまり、この場合のディスクからは最新の管理情報を正しく読み出させることができず、これによってディスク認識を適正に行わせることができなくなってしまう。
【課題を解決するための手段】
【００１０】
そこで本発明では、ＴＤＭＡアクセスインジケータの記録に失敗した場合のリカバリ手法を提案することで、再生側においてディスクに関する情報認識が正しく行われなくなってしまうといった事態の防止を図ることを目的とする。
このために本発明では、先ず第１の記録装置の構成として以下のようにする。
つまり、本発明の第１の記録装置は、ユーザデータの記録が可能なユーザデータ記録領域と、上記ユーザデータ記録領域に対するデータ記録に応じて更新されるべき一時的な管理情報が順次記録される第１の一時管理情報記録領域と、上記第１の一時管理情報記録領域が上記一時的な管理情報の更新に使い切られた場合に新たに上記一時的な管理情報の記録が順次行われていくことになる一または複数の第２の一時管理情報記録領域と、上記第２の一時管理情報記録領域の個々に対応づけられて設けられ、その情報書込の有無によって上記第２の一時管理情報記録領域の個々の利用状況を提示する領域利用状況提示領域と、が設けられている記録媒体に対して、少なくとも記録を行う記録装置であって、上記記録媒体に対する記録を行う記録手段と、上記記録手段に対する制御を行う制御手段とを備える。
そして、上記制御手段は、上記領域利用状況提示領域に対して情報記録が行われたことに応じ、当該情報記録が成功したか否かを判別すると共に、この判別の結果に基づき上記情報記録が失敗したとされた場合は、この情報記録が失敗した領域利用状況提示領域に対応する第２の一時管理情報記録領域の次に上記一時的な管理情報の記録が行われるべき第２の一時管理情報記録領域に対して上記一時的な管理情報の記録を行わせた上で、この一時的な管理情報が記録された第２の一時管理情報記録領域と対応づけられた上記領域利用状況提示領域に対して情報記録が行われるように制御を行うものである。
【００１１】
また、本発明では第２の記録装置の構成として以下のようにする。
すなわち、本発明の第２の記録装置は、ユーザデータの記録が可能なユーザデータ記録領域と、上記ユーザデータ記録領域に対するデータ記録に応じて更新されるべき一時的な管理情報が順次記録される第１の一時管理情報記録領域と、上記第１の一時管理情報記録領域が上記一時的な管理情報の更新に使い切られた場合に新たに上記一時的な管理情報の記録が順次行われていくことになる一または複数の第２の一時管理情報記録領域と、上記第２の一時管理情報記録領域の個々に対応づけられて設けられ、その情報書込の有無によって上記第２の一時管理情報記録領域の個々の利用状況を提示する領域利用状況提示領域と、が設けられている記録媒体に対して、少なくとも記録を行う記録装置であって、上記記録媒体に対する記録を行う記録手段と、上記記録手段に対する制御を行う制御手段とを備える。
そして、上記制御手段は、上記領域利用状況提示領域に対して情報記録が行われたことに応じ、当該情報記録が成功したか否かを判別すると共に、この判別の結果に基づき上記情報記録が失敗したとされた場合は、この情報記録が失敗した領域利用状況提示領域の次の領域利用状況提示領域に対して情報記録を行わせ、上記情報記録が成功したとされた場合には、当該情報記録の成功した領域利用状況提示領域に対応する第２の一時管理情報記録領域に対して上記一時的な管理情報が記録されるように制御を行うものである。
【００１２】
上記本発明としても、上述したＢＤ−Ｒのように、ユーザデータの記録が可能なユーザデータ記録領域と、上記ユーザデータ記録領域に対するデータ記録に応じて更新されるべき一時的な管理情報（ＴＤＭＳ）が順次記録される第１の一時管理情報記録領域（ＴＤＭＡ０）と、上記第１の一時管理情報記録領域が上記一時的な管理情報の更新に使い切られた場合に新たに上記一時的な管理情報の記録が順次行われていくことになる一または複数の第２の一時管理情報記録領域（例えばＴＤＭＡ１以降のＴＤＭＡ）と、上記第２の一時管理情報記録領域の個々に対応づけられて設けられ、その情報書込の有無によって上記第２の一時管理情報記録領域の個々の利用状況を提示する領域利用状況提示領域（各ＴＤＭＡアクセスインジケータ）と、が設けられる記録媒体を対象とするものである。
先ず、上記第１の構成としての本発明は、管理情報の記録後に領域利用状況提示領域に対する情報記録を行う場合に対応するものである。このように領域利用状況提示領域を後書きする場合において、上記のようにして領域利用状況提示領域に対する情報記録が成功したか否かを判別し、情報記録に失敗した場合は次の第２の一時管理情報記録領域に対する上記管理情報の記録（コピー）及び、その第２の一時管理情報記録領域に対応する領域利用状況提示領域への情報記録を行うものとすれば、或る第２の一時管理情報記録領域に対応する領域利用状況提示領域（或るＴＤＭＡに対応するＴＤＭＡアクセスインジケータ）の記録に失敗した場合にも、その次以降の第２の一時管理情報記録領域（ＴＤＭＡ）に最新の管理情報があることが適正に示されるようにすることができる。
また、本発明の第２の構成は、管理情報の記録に先立ち、領域利用状況提示領域に対する情報記録を行う場合に対応するものであるが、このように領域利用状況提示領域を先書きする場合において、上述のようにして領域利用状況提示領域に対する情報記録が成功したか否かを判別し、情報記録に失敗した場合は次の領域利用状況提示情報への情報記録を行い、情報記録に成功した場合はその領域利用状況提示領域と対応する第２の一時管理情報記録領域に対する上記管理情報の記録を行うものとすれば、同様に、或る第２の一時管理情報記録領域に対応する領域利用状況提示領域の記録に失敗した場合にも、その次以降の第２の一時管理情報記録領域に最新の管理情報があることが適正に示されるようにすることができる。
【発明の効果】
【００１３】
上記のようにして本発明によれば、或る第２の一時管理情報記録領域に対応する領域利用状況提示領域の記録に失敗した場合にも、その次以降の第２の一時管理情報記録領域（ＴＤＭＡ）に最新の管理情報があることが適正に示されるようにすることができ、これによって、一部アクセスインジケータの記録に失敗した場合にも、最終的には最新の管理情報が記録されるＴＤＭＡが適正に示されるようにすることができる。
この結果、再生側において最新の管理情報を正しく取得させ、記録媒体に関する情報認識を正しく行わせることができる。
【発明を実施するための最良の形態】
【００１４】
以下、本発明の実施の形態を次の順序で説明する。
１．ディスク構造。
２．ＤＭＡ。
３．ＴＤＭＡ。
３−１  ＴＤＭＡ構造及びＴＤＭＳアップデートユニット。
３−２  ＴＤＤＳ。
３−３  ＴＤＦＬ。
３−４  ＳＲＲ及びＳＲＲＩ。
３−５  交替領域を用いた交替処理。
３−６  次ＴＤＭＡへの追記処理。
４．ディスクドライブ装置の構成。
５．インジケータを用いたディスク認識処理。
６．従来のインジケータ記録処理
７．本実施の形態のインジケータ記録処理。
【００１５】
１．ディスク構造。
まず実施の形態の記録システムで用いる光ディスクについて説明する。この光ディスクは、いわゆるブルーレイディスクと呼ばれる高密度光ディスク方式の範疇におけるライトワンス型ディスクとして実施可能である。
本実施の形態で用いる高密度光ディスクの物理パラメータの一例について説明する。
本例の光ディスクは、ディスクサイズとしては、直径が１２０ｍｍ、ディスク厚は１．２ｍｍとなる。即ちこれらの点では外形的に見ればＣＤ（Compact Disc）方式のディスクや、ＤＶＤ（Digital Versatile Disc）方式のディスクと同様となる。
そして記録／再生のためのレーザとして、いわゆる青色レーザが用いられ、また光学系が高ＮＡ（例えばＮＡ＝０．８５）とされること、さらには狭トラックピッチ（例えばトラックピッチ＝０．３２μｍ）、高線密度（例えば記録線密度０．１２μｍ）を実現することなどで、直径１２ｃｍのディスクにおいて、ユーザデータ容量として２３Ｇ〜２５Ｇバイト程度を実現している。
また、記録層が２層とされたいわゆる２層ディスクも開発されており、２層ディスクの場合、ユーザデータ容量は５０Ｇバイト程度となる。
【００１６】
図１は、ディスク全体のレイアウト（領域構成）を示す。
なお本例のシステムでは、ディスクのフォーマット（初期化）処理により図１のレイアウトが形成される。また、以下では一例として、光ディスクが１層ディスク（ＳＬ：Single Layer）である場合を例に説明を行う。
このディスク上の領域としては、内周側からリードインゾーン、データゾーン、リードアウトゾーンが配される。
また、記録・再生に関する領域構成としてみれば。リードインゾーンのうちの最内周側のプリレコーデッド情報領域ＰＩＣが再生専用領域とされ、リードインゾーンの管理領域からリードアウトゾーンまでが、１回記録可能なライトワンス領域とされる。
【００１７】
再生専用領域及びライトワンス領域には、ウォブリンググルーブ（蛇行された溝）による記録トラックがスパイラル状に形成されている。グルーブはレーザスポットによるトレースの際のトラッキングのガイドとされ、かつこのグルーブが記録トラックとされてデータの記録再生が行われる。
なお本例では、グルーブにデータ記録が行われる光ディスクを想定しているが、本発明はこのようなグルーブ記録の光ディスクに限らず、グルーブとグルーブの間のランドにデータを記録するランド記録方式の光ディスクに適用してもよいし、また、グルーブ及びランドにデータを記録するランドグルーブ記録方式の光ディスクにも適用することも可能である。
【００１８】
また記録トラックとされるグルーブは、ウォブル信号に応じた蛇行形状となっている。そのため、光ディスクに対するディスクドライブ装置では、グルーブに照射したレーザスポットの反射光からそのグルーブの両エッジ位置を検出し、レーザスポットを記録トラックに沿って移動させていった際におけるその両エッジ位置のディスク半径方向に対する変動成分を抽出することにより、ウォブル信号を再生することができる。
このウォブル信号には、その記録位置における記録トラックのアドレス情報（物理アドレスやその他の付加情報等）が変調されている。そのため、ディスクドライブ装置では、このウォブル信号からアドレス情報等を復調することによって、データの記録や再生の際のアドレス制御等を行うことができる。
【００１９】
図１に示すリードインゾーンは、例えば半径２４ｍｍより内側の領域となる。
そしてリードインゾーン内における半径２２．２〜２３．１ｍｍがプリレコーデッド情報領域ＰＩＣとされる。
プリレコーデッド情報領域ＰＩＣには、あらかじめ、記録再生パワー条件等のディスク情報や、ディスク上の領域情報、コピープロテクションにつかう情報等を、グルーブのウォブリングによって再生専用情報として記録してある。なお、エンボスピット等によりこれらの情報を記録してもよい。
なお図示していないが、プリレコーデッド情報領域ＰＩＣよりさらに内周側にＢＣＡ（Burst Cutting Area）が設けられる場合もある。ＢＣＡはディスク記録媒体固有のユニークＩＤを、記録層を焼き切る記録方式で記録したものである。つまり記録マークを同心円状に並べるように形成していくことで、バーコード状の記録データを形成する。
【００２０】
リードインゾーンにおいて、例えば半径２３．１〜２４ｍｍの範囲が管理／制御情報領域とされる。
管理／制御情報領域にはコントロールデータエリア、ＤＭＡ（Disc Management Area ）、ＴＤＭＡ０（ＴＤＭＡ：Temporary Disc Management Area）、テストライトエリア（ＯＰＣ）、バッファエリアなどを有する所定の領域フォーマットが設定される。
管理／制御情報領域における上記コントロールデータエリアには、次のような管理／制御情報が記録される。
すなわち、ディスクタイプ、ディスクサイズ、ディスクバージョン、層構造、チャンネルビット長、ＢＣＡ情報、転送レート、データゾーン位置情報、記録線速度、記録／再生レーザパワー情報などが記録される。
また同じく、管理／制御情報領域内に設けられるテストライトエリア（ＯＰＣ）は、記録／再生時のレーザパワー等、データ記録再生条件を設定する際の試し書きなどに使われる。即ち記録再生条件調整のための領域である。
【００２１】
管理／制御情報領域内には、ＤＭＡが設けられるが、通常、ディスクシステムの分野ではＤＭＡは「Defect Management Area 」と呼ばれ、欠陥管理のための交替管理情報が記録される。しかしながら本例のディスクでは、ＤＭＡは欠陥箇所の交替管理のみではなく、このライトワンス型ディスクにおいてデータ書換を実現するための管理／制御情報が記録される。さらには、後述するＳＲＲＩも記録される。このためＤＭＡは「Disc Management Area」としての機能を有する。
また、交替処理を利用してデータ書換を可能にするためには、データ書換に応じて交替管理情報の内容も更新されていかなければならない。さらには、追記が行われることに応じてデータの記録構造についての管理情報なども更新されていかなければならない。このため、これらの管理情報を更新するためのＴＤＭＡと呼ばれる領域が設けられる。
この場合、上記のような交替及びデータ記録構造などについての管理情報（以下単に管理情報とも呼ぶ）は、ＴＤＭＡ０から順に追加記録されて更新されていく。詳しくは後述するが、ＴＤＭＡ０が管理情報の更新のために使い切られた場合は、さらなる管理情報の書き込み領域としてのＴＤＭＡ１、ＴＤＭＡ２に追記を行うことができる（図２参照）。ＤＭＡに対しては、ディスクのファイナライズ時において、最後にＴＤＭＡに記録された管理情報（最新の管理情報）が記録されることになる。
なお、ＤＭＡ及びＴＤＭＡついては後に詳述する。
【００２２】
リードインゾーンより外周側の例えば半径２４．０〜５８．０ｍｍがデータゾーンとされる。データゾーンは、実際にユーザデータが記録再生される領域である。データゾーンの開始アドレスＡＤdts、終了アドレスＡＤdteは、上述したコントロールデータエリアのデータゾーン位置情報において示される。
【００２３】
また、本例のディスクでは、データゾーンに交替領域（スペアエリア）が形成される。この場合、データゾーンにおいては、その最内周側にＩＳＡ（Inner Spare Area）が、また最外周側にＯＳＡ（Outer Spare Area）が設けられる。このＩＳＡ、ＯＳＡが、欠陥による交替処理に用いる交替領域とされる。
ＩＳＡはデータゾーンの開始位置から所定数のクラスタサイズ（１クラスタ＝６５５３６バイト）で形成される。
ＯＳＡはデータゾーンの終了位置から内周側へ所定数のクラスタサイズで形成される。ＩＳＡ、ＯＳＡのサイズは上記ＤＭＡに記述される。
そしてデータゾーンにおいてＩＳＡとＯＳＡにはさまれた区間がユーザデータ領域とされる。このユーザデータ領域が通常にユーザデータの記録再生に用いられる通常記録再生領域である。
ユーザデータ領域の位置、即ち開始アドレスＡＤus、終了アドレスＡＤueは、上記ＤＭＡに記述される。
【００２４】
なお、通常、書換のできないライトワンスメディアに対して本例では、交替処理を利用した書換が実現できるようにしている。つまり、既に或るブロック（クラスタ等の領域）に記録されたデータを書き換えようとする場合、新たなデータを他のブロックに記録し、これを欠陥交替の場合と同様に交替管理情報として管理することで、論理的にオーバーライトを実現する。そのような書換の場合の交替は、基本的には交替先としてユーザデータ領域内のブロックが用いられるものとしている。
【００２５】
図１においてデータゾーンより外周側、例えば半径５８．０〜５８．５ｍｍはリードアウトゾーンとされる。リードアウトゾーンは、管理／制御情報領域とされ、コントロールデータエリア、ＤＭＡ、バッファエリア等が、所定のフォーマットで形成される。コントロールデータエリアには、例えばリードインゾーンにおけるコントロールデータエリアと同様に各種の管理／制御情報が記録される。ＤＭＡは、リードインゾーンにおけるＤＭＡと同様にＩＳＡ、ＯＳＡの管理情報が記録される領域として用意される。
【００２６】
図２には、管理／制御情報領域の構造例、及びスペアエリア内に設定可能なＴＤＭＡ１、ＴＤＭＡ２を示している。
先ず、リードインゾーンには、図示するように未定義区間（リザーブ）を除いて、ＤＭＡ２，ＯＰＣ（テストライトエリア）、ＴＤＭＡ０、ＤＭＡ１の各エリアが形成される。またリードアウトゾーンには、未定義区間（リザーブ）を除いて、ＤＭＡ３，ＤＭＡ４の各エリアが形成される。
なお、上述したコントロールデータエリアは示していないが、例えば実際にはコントロールデータエリアの一部がＤＭＡとなることから、図示を省略した。
【００２７】
また、スペアエリア内には、図示するようにしてＴＤＭＡ１、ＴＤＭＡ２を設けることができる。具体的に、ＴＤＭＡ１はＩＳＡ内に設定可能とされ、ＴＤＭＡ２はＯＳＡ内に設定可能とされる。これらＴＤＭＡ１、ＴＤＭＡ２としては、リードインゾーン内に設けられるＴＤＭＡ０が管理情報の更新のために使い切られた場合の、新たな管理情報の記録のための領域として設定することができる。つまり、この図に示されるようにしてＴＤＭＡ１、ＴＤＭＡ２の２つが設けられる場合、管理情報の更新は、ＴＤＭＡ０→ＴＤＭＡ１→ＴＤＭＡ２の順で行われる。この場合、ＴＤＭＡ１は、その先頭アドレスのみが固定とされ、終了アドレスは可変とされる。またＴＤＭＡ２は終了アドレスのみが固定とされ、先頭アドレスが可変とされている。すなわち、これらＴＤＭＡ１、ＴＤＭＡ２はサイズ０の場合もあり得る。
【００２８】
ディスクがファイナライズされた場合、ＴＤＭＡにおいて最後に更新された管理情報がＤＭＡに対して書き込まれる。上述のようにしてＤＭＡは、リードインゾーン、リードアウトゾーンにおいて各２箇所設けられ、計４つ設けられる。これらＤＭＡ１〜ＤＭＡ４には、同一の管理情報が記録される。つまり、これらＤＭＡに対しては、ＴＤＭＡにおいて最後に更新された同じ管理情報が記録されるものである。このように同じ管理情報が大量に書き込まれることで、ファイナライズ後においては管理情報の読み出しをより確実に行うことができるようになる。
以上をまとめると、ディスクをファイナライズするまでは、ＤＭＡは使用されず、ＴＤＭＡにおいて交替管理が行われる。ディスクをファイナライズすると、その時点においてＴＤＭＡに記録されている最新の管理情報がＤＭＡに記録され、以降はＤＭＡによる交替管理が可能となる、ということになる。
【００２９】
２．ＤＭＡ。
リードインゾーン、リードアウトゾーンに記録されるＤＭＡの構造を図３に示す。
ここではＤＭＡのサイズは３２クラスタとする例を示す。但しＤＭＡサイズは３２クラスタに限定されるものではない。
なお、１クラスタは６５５３６バイトであり、これはデータ記録の最小単位である。また、２０４８バイトがセクタ（又はデータフレーム）と呼ばれる単位となり、従って１クラスタは３２セクタ（又は３２データフレーム）となる。ユーザデータのサイズで考えれば、セクタとデータフレームは同一であるが、セクタは物理的なデータ単位、データフレームは論理的なデータ単位である。
アドレスはセクタ単位で割り当てられる。物理セクタアドレスをＰＳＮ（Physical Sector Number）、論理セクタアドレスをＬＳＮ（Logical Sector Number）と呼ぶ。
図３では、３２クラスタの各クラスタを、クラスタ番号１〜３２としてＤＭＡにおける各内容のデータ位置を示している。また各内容のサイズをクラスタ数として示している。
【００３０】
ＤＭＡにおいて、クラスタ番号１〜４の４クラスタの区間にはＤＤＳ(Disc Definition Structure)としてディスクの詳細情報が記録される。
このＤＤＳの内容は図４で述べるが、ＤＤＳは１クラスタのサイズとされ、当該４クラスタの区間において４回繰り返し記録される。
【００３１】
クラスタナンバ５〜８の４クラスタの区間は、ディフェクトリストＤＦＬの１番目の記録領域（ＤＦＬ＃１）となる。ディフェクトリストＤＦＬは４クラスタサイズのデータとなり、その中に、個々の交替アドレス情報（後述するＤＦＬエントリ、ＬＯＷエントリ）をリストアップした構成となる。
クラスタナンバ９〜１２の４クラスタの区間は、ディフェクトリストＤＦＬの２番目の記録領域（ＤＦＬ＃２）となる。
さらに、４クラスタづつ３番目以降のディフェクトリストＤＦＬ＃３〜ＤＦＬ＃６の記録領域が用意され、クラスタナンバ２９〜３２の４クラスタの区間は、ディフェクトリストＤＦＬの７番目の記録領域（ＤＦＬ＃７）となる。
つまり、３２クラスタのＤＭＡには、ディフェクトリストＤＦＬ＃１〜ＤＦＬ＃７の７個の記録領域が用意される。
本例のように１回書き込み可能なライトワンス型光ディスクの場合、このＤＭＡの内容を記録するためには、ファイナライズという処理を行う必要がある。その場合、ＤＭＡに書き込む７つのディフェクトリストＤＦＬ＃１〜ＤＦＬ＃７は互換性を考慮して全て同じ内容とされる。
ディフェクトリストＤＦＬの構造は、後述するＴＤＭＡにおけるＴＤＦＬ（テンポラリＤＦＬ）とほぼ同様となるため説明を省略する。
【００３２】
上記図３のＤＭＡの先頭に記録されるＤＤＳの内容を図４に示す。
上記のようにＤＤＳは１クラスタ（＝６５５３６バイト）のサイズとされる。
図４においてバイト位置は、６５５３６バイトであるＤＤＳの先頭バイトをバイト０として示している。バイト数は各データ内容のバイト数を示す。
【００３３】
バイト位置０〜１の２バイトには、ＤＤＳのクラスタであることを認識するための、ＤＤＳ識別子（DDS Identifier）＝「ＤＳ」が記録される。
バイト位置２の１バイトに、ＤＤＳ型式番号（フォーマットのバージョン）が示される。
バイト位置４〜７の４バイトには、ＤＤＳの更新回数（DDS Update Count）が記録される。なお、本例ではＤＭＡ自体はファイナライズ時に管理情報が書き込まれるものであって更新されるものではなく、管理情報はＴＤＭＡにおいて行われる。従って、最終的にファイナライズされる際に、ＴＤＭＡにおいて行われたＤＤＳ（ＴＤＤＳ：テンポラリＤＤＳ）の更新回数が、当該バイト位置に記録されるものとなる。
【００３４】
バイト位置１６〜１９の４バイトには、ＤＭＡ内のドライブエリアの先頭物理セクタアドレスが記録される。
バイト位置２４〜２７の４バイトには、ＤＭＡ内のディフェクトリストＤＦＬの先頭物理セクタアドレスが記録される。
バイト位置３２〜３５の４バイトは、データゾーンにおけるユーザデータ領域の先頭位置（図１のＡＤus）、つまりＬＳＮ（Logical Sector Number：論理セクタアドレス）”０”の位置を、ＰＳＮ（Phisical Sector Number：物理セクタアドレス）によって示している。
バイト位置３６〜３９の４バイトは、データゾーンにおけるユーザデータエリアの終了位置（図１のＡＤue）をＬＳＮ（論理セクターアドレス）によって示している。
バイト位置４０〜４３の４バイトには、データゾーンにおけるＩＳＡのサイズが示される。
バイト位置４４〜４７の４バイトには、データゾーンにおける１層当たりのＯＳＡのサイズが示される。
バイト位置４８〜５１の４バイトには、データゾーンにおけるＩＳＡ（２層ディスクにおける第２レイヤのＩＳＡ）のサイズが示される。
バイト位置５２の１バイトには、ＩＳＡ、ＯＳＡを使用してデータ書換が可能であるか否かを示す交替領域使用可能フラグ（Spare Area Full Flag）が示される。交替領域使用可能フラグは、ＩＳＡ又はＯＳＡが全て使用された際に、それを示すものとされる。
バイト位置５４の１バイトには、ディスクサーティフィケーションフラグ（Disc Certification Flag）が示され、ディスクの認証のステータスを表す。
バイト位置５６〜５９の４バイトには、ラストベリファイドアドレスポインタ（Last Verified Address Pointer）として、ベリファイ済みの最終アドレスが示される。
これら以外のバイト位置はリザーブ（未定義）とされ、全て００ｈとされる。
【００３５】
ＤＭＡにおいては、以上のようなデータ構造で、管理情報が記録される。但し、上述したように、ＤＭＡにこれらの情報が記録されるのはディスクをファイナライズした際であり、そのときは、ＴＤＭＡにおける最新の管理情報が反映されるものとなる。
欠陥管理やデータ書換のための交替処理及びそれに応じた管理情報の更新は、次に説明するＴＤＭＡにおいて行われることになる。
【００３６】
３．ＴＤＭＡ。
３−１  ＴＤＭＡ構造及びＴＤＭＳアップデートユニット。
続いて、ＴＤＭＡについて説明する。ＴＤＭＡ（テンポラリＤＭＡ）は、ＤＭＡと同じく管理情報を記録する領域とされるが、データ書換や欠陥の検出に応じた交替処理が発生することに応じて管理情報が追加記録されることで更新されていく。
【００３７】
図５にＴＤＭＡ０の構造を示す。図５（ａ）（ｂ）に示すように管理／制御情報領域内に設けられるＴＤＭＡのサイズは、例えば２０４８クラスタとされる。
図５（ｃ）に２０４８クラスタを用いたＴＤＭＡ０構造を示す。
先ず、ＴＤＭＡ０の先頭から３つのクラスタＣＬ０、ＣＬ１、ＣＬ２は、アクセスインジケータとしての機能を持つ（アクセスインジケータ領域）。
クラスタＣＬ２は、ＴＤＭＡ１アクセスインジケータとされ、クラスタＣＬ１は、ＴＤＭＡ２アクセスインジケータとされる。これらＴＤＭＡアクセスインジケータには、そのＴＤＭＡに対して初めて情報が記録されたときに最新のＴＤＤＳ（Temporary Disc Definition Structure：後述）を含むストラクチャを記録するようにされる。具体的に、ＴＤＭＡ１に初めて情報が記録された場合、クラスタＣＬ２のＴＤＭＡ１アクセスインジケータ内に対しＴＤＭＡ１内の最新のＴＤＤＳを記録する。同様に、ＴＤＭＡ２に初めて情報が記録された場合、クラスタＣＬ１のＴＤＭＡ２アクセスインジケータ内に対しＴＤＭＡ２内の最新のＴＤＤＳを記録する。
ここで、ＴＤＭＡ０内で情報が更新される限りは、各ＴＤＭＡアクセスインジケータに対する情報の書き込みは一切行われない。すなわち、このことからＴＤＭＡ１アクセスインジケータ、ＴＤＭＡ２アクセスインジケータの双方が未書き込みであれば、最新の管理情報はＴＤＭＡ０内にあることが判明する（ブランクディスクである場合は除く）。そして上記説明によれば、ＴＤＭＡ１アクセスインジケータが書き込み済みであれば、最新の管理情報がＴＤＭＡ１内にあることが判明し、ＴＤＭＡ２アクセスインジケータが書き込み済みであれば、最新の管理情報がＴＤＭＡ２内にあることが判明する。
【００３８】
また、クラスタＣＬ０はＤＭＡアクセスインジケータとされ、ここにはファイナライズに伴いＤＭＡが記録されるときに、図３に添った形で必要な情報を、最新のＴＤＭＳ（Temporary Disc Management Structure：後述）から取得して記録する。
上記のようにして、クラスタＣＬ１、クラスタＣＬ２が共に未書き込みである場合、最新のＴＤＭＳはＴＤＭＡ０から取得出来る。また、クラスタＣＬ２が記録済みである場合、最新のＴＤＭＳはＴＤＭＡ１から取得でき、クラスタＣＬ１が記録済みである場合は、最新のＴＤＭＳはＴＤＭＡ２から取得できることになる。
このクラスタＣＬ０としてのＤＭＡアクセスインジケータが記録済みの場合、そのディスクはファイナライズされて書き込み禁止状態になっており、最新のディスク情報はＤＭＡから取得出来ることを表すものとなる。
また、このＤＭＡアクセスインジケータは、これが書き込み済みであるか否かによってディスクがファイナライズ済みであるか否かを示す情報ともなる。
【００３９】
ＴＤＭＡ０のクラスタＣＬ３〜ＣＬ２０４７までは、ＴＤＭＳ書き込み領域として、管理情報の更新に用いられる。
クラスタＣＬ３以降に記録される管理情報を構成するストラクチャをＴＤＭＳ（Temporary Disc Management Structure）と呼ぶ。
ＴＤＭＳは、１〜Ｎクラスタの可変サイズとされるＴＤＭＳアップデートユニット単位で追加記録されていく。シーケンシャルレコーディングモードでは上記Ｎは「４」とされる。なお２層ディスクの場合は上記Ｎは「８」とされる。
例えば図５（ｄ）は、最初にクラスタＣＬ３に１クラスタのＴＤＭＳアップデートユニットが記録され、次にクラスタＣＬ４に１クラスタのＴＤＭＳアップデートユニットが記録され、さらにクラスタＣＬ５に２クラスタのＴＤＭＳアップデートユニットが記録された状態を示している。
ＴＤＭＳは、管理情報の更新が必要となることに応じて、このようにＴＤＭＳアップデートユニット単位で、連続するクラスタに逐次記録されていく。ＴＤＭＳアップデートユニットの記録の際には、その時点で最後の記録済みクラスタの後ろから間を空けずに 最新のＴＤＭＳアップデートユニットを記録していく。
【００４０】
本例のライトワンス型ディスクに対して記録モードがシーケンシャル記録モード（Sequential Recording Mode）とされる場合、ＴＤＭＳを構成する要素は、ＴＤＤＳ（Temporary Disc Definition Structure）、ＴＤＦＬ（Temporary Defect List）、ＳＲＲＩ（Sequential Recording Range Information）の３つであり、これら要素は必ず同じＴＤＭＡ内に記録されている。
それぞれ詳しく後述するが、ＴＤＤＳは、主にＴＤＭＳの管理のための情報が含まれる。ＴＤＦＬは、実際の交替情報（ＬＯＷエントリ，ＤＦＬエントリ）が含まれる。ＳＲＲＩは、ユーザデータ領域に記録されるＳＲＲ（Sequential Recording Range：連続記録範囲）の管理情報である。ここでいう連続記録範囲とは、例えばＣＤ、ＤＶＤ等で言う「トラック」に相当するものである。
【００４１】
図６（ａ）（ｂ）（ｃ）にＴＤＭＳアップデートユニットの構成を示す。
全てのＴＤＭＳアップデートユニットは１セクタのサイズのＴＤＤＳを含むものとされる。そしてＴＤＤＳはＴＤＭＳアップデートユニットを構成するクラスタの最後のセクタ（データフレーム）に配置される。
またＴＤＭＳアップデートユニットにＴＤＦＬを含む場合、ＴＤＦＬはＴＤＭＳアップデートユニットの先頭からの必要数のセクタ（データフレーム）に配置される。
またＴＤＭＳアップデートユニットにＳＲＲＩを含む場合、ＳＲＲＩはＴＤＭＳアップデートユニットの終端側、即ちＴＤＤＳの直前の必要数のセクタ（データフレーム）に配置される。
図６（ａ）は、ＳＲＲＩとＴＤＤＳを含むＴＤＭＳアップデートユニットの例である。ＴＤＭＳアップデートユニットは例えば１クラスタとされ、最終セクタ（データフレーム３１）にＴＤＤＳが配置される。そしてＳＲＲＩのサイズがＭセクタであるとすると、ＴＤＤＳの直前となるＭセクタ（データフレーム（３１−Ｍ）からデータフレーム３０まで）にＳＲＲＩが配置される。
この場合ＴＤＦＬは記録されないため、データフレーム０からデータフレーム（３０−Ｍ）まではゼロデータ（００ｈ）とされる。
図６（ｂ）は、ＴＤＦＬとＴＤＤＳを含むＴＤＭＳアップデートユニットの例である。ＴＤＭＳアップデートユニットは例えばＫクラスタとされ、最終セクタ（クラスタＫのデータフレーム３１）にＴＤＤＳが配置される。そしてＴＤＦＬのサイズがＮセクタであるとすると、先頭からＮセクタ（クラスタ０のデータフレーム０からクラスタＫのデータフレーム（ｘ−１）までにＴＤＦＬが配置される。なお、ｘ＝mod（Ｎ／３２）−１である。
この場合ＳＲＲＩは記録されないため、クラスタＫのデータフレームｘからデータフレーム３０まではゼロデータ（００ｈ）とされる。
図６（ｃ）は、ＴＤＦＬ、ＳＲＲＩ、ＴＤＤＳを含むＴＤＭＳアップデートユニットの例である。ＴＤＭＳアップデートユニットは例えばＫクラスタとされ、最終セクタ（クラスタＫのデータフレーム３１）にＴＤＤＳが配置される。そしてＴＤＦＬのサイズがＮセクタであるとすると、先頭からＮセクタ（クラスタ０のデータフレーム０からクラスタ（Ｋ−１）のデータフレーム（ｘ−１）までにＴＤＦＬが配置される。
またＴＤＤＳの直前となるＭセクタ（クラスタＫのデータフレーム（３１−Ｍ）からデータフレーム３０まで）にＳＲＲＩが配置される。
ＴＤＦＬとＳＲＲＩの間に図のように残り領域があれば、その領域はゼロデータ（００ｈ）で埋められる。
なお、ＴＤＭＳアップデートユニットを構成するクラスタ数は、ＴＤＦＬやＳＲＲＩのサイズによって異なるものとなることは言うまでもない。
【００４２】
図７は、ＴＤＭＳアップデートユニットが追加記録されていった様子を示している。例えば最初に２クラスタサイズのＴＤＭＳアップデートユニット＃１が記録され、その後＃２，＃３・・・＃ｘ・・・＃ｙと追加記録された場合である。
例えばＴＤＦＬの更新が必要な場合、或いはＳＲＲＩの更新が必要な場合、さらにはＴＤＦＬとＳＲＲＩの両方の更新が必要な場合に、上記図６（ａ）（ｂ）（ｃ）の内でいずれか必要な形態のＴＤＭＳアップデートユニットの追加記録が行われる。例えばＳＲＲＩの更新が必要であるがＴＤＦＬの更新は不要であるときは図６（ａ）の形態となる。
図７では、ＴＤＭＳアップデートユニット＃ｙが最新のＴＤＭＳアップデートユニットである。ＴＤＭＳアップデートユニットには必ずＴＤＤＳが含まれることから、このＴＤＭＳアップデートユニット＃ｙのＴＤＤＳが有効な最新のＴＤＤＳとなる。
そしてこの最新のＴＤＤＳによって、有効なＳＲＲＩやＴＤＦＬが示される。
この例のＴＤＭＳアップデートユニット＃ｙは、ＳＲＲＩの更新のために記録されたものであり、従って最新のＴＤＤＳにより、ＴＤＭＳアップデートユニット＃ｙにおけるＳＲＲＩｎを有効なＳＲＲＩとして示している。
また、この時点でＴＤＭＳアップデートユニット＃ｘでのＴＤＦＬｍが有効なＴＤＦＬであれば、最新のＴＤＤＳにより、ＴＤＭＳアップデートユニット＃ｘにおけるＴＤＦＬｍが有効なＴＤＦＬとして示されることになる。
つまり、図５のＴＤＭＡにおいてクラスタＣＬ３以降に随時追加記録されるＴＤＭＳは、その最新のＴＤＭＳアップデートユニットにおけるＴＤＤＳが有効なＴＤＤＳとされ、そのＴＤＤＳによって、最新のＳＲＲＩ、ＴＤＦＬが示されるものである。
【００４３】
３−２  ＴＤＤＳ。
上記のようにＴＤＭＳアップデートユニットの最後のセクターとして記録されるＴＤＤＳ（temporary disc definition structure）の構造を図８に示す。
ＴＤＤＳは１セクタ（２０４８バイト）で構成される。そして図４で述べたＤＭＡにおけるＤＤＳと同様の内容を含む。なお、ＤＤＳは１クラスタ（６５５３６バイト）であるが、図４で説明したようにＤＤＳにおける実質的内容定義が行われているのはデータフレーム０のバイト位置５９までである。つまり１クラスタの先頭セクタ（データフレーム）内に実質的内容が記録されている。このためＴＤＤＳが１セクタであっても、ＤＤＳ内容の主たる内容を包含できる。
【００４４】
ＴＤＤＳは上述のようにＴＤＭＳアップデートユニットの最終クラスタの最終セクタに記録されるため、データフレーム３１としてのバイト位置０〜２０４７に記録される。
そしてＴＤＤＳは、バイト位置０〜５３まではＤＤＳと同様の内容となる。つまり、ファイナライズによってＤＤＳが記録される際には、最新のＴＤＤＳにおけるこれらの内容がＤＤＳに反映されて記録される。
なお、ＤＤＳとＴＤＤＳのバイト位置５３までにおいて、バイト位置４〜７の「TDDS Update Count」は図４を参照してわかるようにＤＤＳ更新回数とされるが、この情報は、ＴＤＤＳにおいてはＴＤＤＳを作成した回数としての値となる。またＴＤＤＳにおいては、バイト位置２４〜２７の「first PSN of Defect List(P_DFL)」(ディフェクトリストの開始ＰＳＮ)は、ディスクのクローズ処理（それ以上の追記を禁止するための処理）がされるまでは０の値を取る。
クローズ処理時に ＤＭＡに書き込まれるＤＤＳには、ファイナライズ時点での最新の ＴＤＤＳのバイト位置４〜７の値がＤＤＳのバイト位置４〜７に書き込まれ、またバイト位置２４〜２７のディフェクトリストの開始ＰＳＮが書き込まれる。
【００４５】
この場合、バイト位置５６「Pre-write Area Flags」の１バイトを挟むバイト位置５３〜５５、バイト位置５７〜６３は、リザーブ領域として共に０で埋められる。また、バイト位置６４〜７１は「Status bits of INFO1/PAC1 locations on L0」、バイト位置７２〜７９は「Status bits of INFO1/PAC2 locations on L0」となる。またバイト位置８０〜８７、バイト位置８８〜９５は、それぞれ「Status bits of INFO1/PAC1 locations on L1」、「Status bits of INFO1/PAC2 locations on L1」であり、これらの領域は２層ディスクの場合に有効な情報が書き込まれる。さらにバイト位置９６〜１０２３まではリザーブ領域である。
【００４６】
ＴＤＤＳのバイト位置１０２４以降には、ＤＤＳには無い情報が記録される。
バイト位置１０２４の１バイトは、レコーディングモード（Recording Mode）とされディスクの記録モードが示される。また、バイト位置１０２５の１バイト、バイト位置１０２６〜１０２７の２バイトは、それぞれジェネラルフラグビット（general flag bits）、インコンシステンシーフラグ（Inconsistency flags）とされ、さらにバイト位置１０２８〜１０３１の４バイトはリザーブ領域である。
また、バイト位置１０３２から１０３５の４バイトには、ユーザデータ領域でのデータ記録済の最終の物理セクタアドレスＰＳＮが記録される。またバイト位置１０３６〜１０３９の４バイトはリザーブ領域である。
【００４７】
バイト位置１０４０〜１０５１の４バイトは、ＴＤＭＡのサイズの記録領域として割り当てられる。
つまり、バイト位置１０４０〜１０４３の４バイトは、ＩＳＡ内のＴＤＭＡのサイズ（Size of TDMA in Inner Space Area 0）、すなわちＴＤＭＳ１のサイズ情報が記録され、バイト位置１０４４〜１０４７の４バイトにはＯＳＡ内のＴＤＭＡのサイズ（Size of TDMAs in Outner Space Area(s)）、つまりＴＤＭＡ２のサイズ情報が記録される。
また、バイト位置１０４８〜１０５１の４バイトは、後述する２層ディスクの場合のＩＳＡ１内のＴＤＭＡのサイズ情報（Size of TDMA in Inner Space Area 1）が記録される。
なお、バイト位置１０５２〜１０８７の３６バイトはリザーブ領域である。
【００４８】
バイト位置１０８８〜１０９５、バイト位置１１０４〜１１１１には、それぞれテストゾーン、キャリブレーションゾーンについての情報が記録される。つまり、バイト位置１０８８〜１０９１は「next available PSN of Test Zone on L0」であり、バイト位置１０９２〜１０９５は「next available PSN of Test Zone on L1」である。またバイト位置１１０４〜１１０７は「next available PSN of Drive Calibration Zone on L0」であり、バイト位置１１０８〜１１１１は「next available PSN of Drive Calibration Zone on L1」である。
なおバイト位置１０９６〜１１０３の８バイトはリザーブ領域である。また、バイト位置１１１２〜１１１９の８バイトとしてもリザーブ領域とされる。
【００４９】
バイト位置１１２０〜１０２３の４バイトには、ＴＤＦＬの第１クラスタの先頭ＰＳＮ（First PSN of 1st Cluster of DFL）が示される。
以降４バイトずつ、ＴＤＦＬの第２〜第８クラスタの先頭ＰＳＮが示される。
このＴＤＦＬの第１クラスタの先頭ＰＳＮ〜ＴＤＦＬの第１クラスタの先頭ＰＳＮが、それぞれＴＤＦＬのポインタとされ、これらを用いて図７で示したように有効なＴＤＦＬを示すことが行われる。
バイト位置１１５２〜１１８３までの３２バイトはリザーブ領域である。
【００５０】
また、バイト位置１１８４〜１０８７の４バイトには、ＳＲＲＩの先頭ＰＳＮ（First PSN of SRRI）が示される。このＳＲＲＩの先頭ＰＳＮはＳＲＲＩのポインタとされ、これを用いて図７で示したように有効なＳＲＲＩを示すことが行われる。
またバイト位置１１８８〜１１９１の４バイトには２層ディスクの場合におけるＳＢＭの先頭ＰＳＮ（first PSN of SBM for L1）が示される。
次のバイト位置１１９２〜１２１５の２４バイトはリザーブ領域である。
【００５１】
バイト位置１２１６〜１２１９の４バイトには、ＩＳＡにおいて次に記録するアドレス（Next available PSN of ISA0）が示される。
またバイト位置１２２０〜１２２３の４バイトには、ＯＳＡにおいて次に記録するアドレス（Next available PSN of OSA0）が示される。
交替処理によりＩＳＡ又はＯＳＡが使用された時は、その次に書き込みを行うアドレスとして、これらの値が更新される。
また、バイト位置１２２４〜１２２７の４バイトには、２層ディスクの場合のＯＳＡ１において次に記録するアドレス（Next available PSN of OSA1）が示され、バイト位置１２２８〜１２３１の４バイトには２層ディスクの場合のＩＳＡ１において次に記録するアドレス（Next available PSN of ISA1）が示される。
バイト位置１２３２〜１９１５までの６８４バイトはリザーブ領域となる。
【００５２】
バイト位置１９１６〜１９１９までの４バイトには、記録が行われた年月日の情報（Year/Month/Date of Recording）が示される。
また、バイト位置１９２０〜２０４８にはドライブＩＤ（Drive ID）が示される。このドライブＩＤとしては、図示するようにマニュファクチャーズネーム（Manufactures Name：４８バイト）、アディショナルＩＤ（Additional ID：４８バイト）、ユニークシリアルナンバ（Unique Serial Number：３２バイト）が記録される。
【００５３】
３−３  ＴＤＦＬ。
次にＴＤＦＬ（テンポラリＤＦＬ）の構成を述べる。上述のようにＴＤＦＬは、ＴＤＭＳアップデートユニットに含まれることで更新されていく。
図９においてクラスタナンバ／データフレームナンバはＴＤＦＬ内のクラスタ番号と、２０４８バイトのセクタ単位を示す。データフレーム内のバイト位置（Byte position in Data frame）は各データフレームでの内部のバイト位置を示す。
【００５４】
ＴＤＦＬの内容として、バイト位置０からの６４バイトは、ＴＤＦＬの管理情報を収めるＴＤＦＬヘッダ（Temporary Defect List Header）とされる。
このＴＤＦＬヘッダは、ＴＤＦＬクラスタであることを認識する情報、バージョン、、ＴＤＦＬアップデート（TDFL記録更新）回数、ＴＤＦＬの情報ブロック（ＤＦＬエントリ／ＬＯＷエントリ）のエントリー数等の情報で構成される。
【００５５】
バイト位置６４以降は、複数の情報ブロックから構成されるテンポラリリストオブディフェクト（Temporary list of Defects）であり、一つ一つの情報ブロックの大きさは８バイトである。Ｎ個の情報ブロックが存在する場合、その大きさはＮ×８バイトとなる。
８バイトによる１つの情報ブロックが、１つの交替情報であり、ＤＦＬエントリ又はＬＯＷエントリとなる。
ＤＦＬエントリとＬＯＷエントリは、実質的に同じ交替情報であるが、説明の便宜上、ＤＦＬエントリは欠陥領域の交替情報、ＬＯＷ（Logical Orverwrite）エントリは、データ書換に用いる交替情報とする。
ＤＦＬエントリとＬＯＷエントリについては、実質的に同様の処理（交替処理）を示すものであるためテンポラリリストオブディフェクト内の情報ブロックとして混在してかまわないものとなっている。
テンポラリリストオブディフェクトは、ＤＦＬエントリとＬＯＷエントリが複数集まって構成され、そのＤＦＬエントリとＬＯＷエントリを合わせた総数は、一層ディスクの場合、最大３２７５９個とされる。
テンポラリリストオブディフェクトの直後は、８バイトでテンポラリディフェクトリスト終端（Temporary Defect List Terminator）が記録され、テンポラリリストオブディフェクトが終了されることを示す。以降、そのクラスタの最後までは０で埋められる。
【００５６】
個々の情報ブロックである８バイトのＤＦＬエントリの構成を図１０（ａ）に示す。なお、ＬＯＷエントリとされる場合も同様のフォーマットである。
８バイト（＝６４ビット）のうち、ビットｂ63〜ｂ60の４ビットはステータス１とされる。
ビットｂ59〜ｂ32の２８ビットは交替元アドレス（交替元クラスタの先頭ＰＳＮ）とされる。
ビットｂ31〜ｂ28の４ビットはステータス２とされる。
ビットｂ27〜ｂ0の２８ビットは交替先アドレス（交替先クラスタの先頭ＰＳＮ）とされる。
【００５７】
ステータス１，２による意味を図１０（ｂ）に示す。
ステータス１，２が「００００」「００００」とされる場合は、そのＤＦＬエントリ（又はＬＯＷエントリ）は通常の交替情報となる。
即ちそのエントリに記録された交替元アドレスと交替先アドレスで、１つのクラスタの交替処理が示される。つまり、欠陥検出に基づく交替処理、又はデータ書換のための交替処理がエントリされる。
欠陥交替を示すＤＦＬエントリの場合、交替先アドレスは、図１に示した交替領域（ＩＳＡ、ＯＳＡ）内のアドレスとなる。
データ書換のための交替処理によるＬＯＷエントリの場合は、交替先アドレスはユーザデータ領域内で選択されたアドレスとなる。但し、この場合の交替先にＩＳＡ、ＯＳＡ内の領域が用いられるようにしてもよい。
【００５８】
ステータス１，２が「０００１」「００００」とされる場合は、そのＤＦＬエントリは、交替処理を行っていないディフェクトクラスタを示すものとなる。
ここで、データ書込時等に欠陥（ディフェクト）クラスタが発見された場合においても、ＩＳＡ、ＯＳＡを用いた交替処理ができない場合がある。そのような場合、交替処理は行わないが、その欠陥クラスタを１つのＤＦＬエントリとして登録するようにしている。
そのＤＦＬエントリは、ステータス１，２が「０００１」「００００」とされ、該欠陥クラスタがビットｂ59〜ｂ32の交替元クラスタとして示される。この場合交替先クラスタは存在しないため、ビットｂ27〜ｂ0は例えばゼロデータとされる。
【００５９】
ステータス１，２が「００００」「０００１」とされる場合は、そのエントリーは、バーストブロック交替のスタートアドレスを示す。
またステータス１，２が「００００」「００１０」とされる場合は、そのエントリーは、バーストブロック交替のエンドアドレスを示す。
バーストブロック交替とは、物理的に連続する複数クラスタをまとめて交替させる交替処理である。
即ちステータス１，２が「００００」「０００１」のエントリには、交替処理させる複数クラスタ範囲についての先頭クラスタの先頭ＰＳＮと、その交替先の複数クラスタ範囲の先頭クラスタの先頭ＰＳＮが記録される。
またステータス１，２が「００００」「００１０」のエントリには、交替処理させる複数クラスタ範囲についての最終クラスタの先頭ＰＳＮと、その交替先の複数クラスタ範囲の最終クラスタの先頭ＰＳＮが記録される。
この２つのエントリによって、連続した複数クラスタ範囲を一括した交替処理として管理することができる。つまり、物理的に連続する複数のクラスタをまとめて交替管理する場合は、その複数個の全てのクラスタを１つづつエントリする必要はなく、先頭クラスタと終端クラスタとについての２つの交替情報をエントリすればよいものとなる。
【００６０】
ＤＦＬエントリとＬＯＷエントリは同じフォーマットでＴＤＦＬ内に混在されるが、データ書換の能力を持たない装置に、本例のディスクが装填された際には、ＤＦＬエントリとＬＯＷエントリを、どちらもＤＦＬエントリとして解釈し、再生時に読み出すクラスタを通常に交替させるため、再生互換性は保たれることになる。
【００６１】
３−４  ＳＲＲ及びＳＲＲＩ。
次にＳＲＲ（Sequential Recording Range）及びＳＲＲＩ（Sequential Recording Range Information）について説明する。
ＳＲＲの構造を図１１に示す。ＳＲＲは、本例のライトワンスディスクに対してシーケンシャル記録モード（Sequential Recording Mode）時に使用する書き込み領域（連続記録範囲）の事であり、ＣＤにおけるトラックと似た、以下の＜１＞〜＜５＞のような特徴を持つ。
【００６２】
＜１＞ＳＲＲ内部では記録はアドレス増加方向に行われ、また記録可能なアドレス（追記ポイント）を一つだけ持つ事が可能である。その追記ポイントとしてのアドレスの事を ＮＷＡ（Next Writable Address, PSN）と呼ぶ。
図１１（ａ）に示すように、ＳＲＲ内部の最終記録アドレスをＬＲＡ（Last Recorded Address, PSN）とするとＮＷＡは以下の式で示される。
NWA = (ip(LRA /32) + 1) * 32  (LRA≠0の場合)。
NWA = Start PSN of the SRR  (LRA = 0の場合)。
ここで ip(N) は N よりも小さな整数で、最大の整数を表している。
つまり、ＳＲＲに記録が行われていれば、ＮＷＡはＬＲＡを含むクラスタの次のクラスタの先頭アドレス（ＰＳＮ）となり、またＳＲＲが、まだ記録が行われていない状態なら、ＮＷＡはＳＲＲの先頭アドレス（ＰＳＮ）とされる。
＜２＞ＳＲＲは オープン（Open）およびクローズド（Closed）の二つのうちどちらかのステータスをとる。
ここで、図１１（ａ）のOpen SRR は記録可能な（つまりＮＷＡを持つ）ＳＲＲを表し、図１１（ｂ）のClosed SRR は記録不可能な（つまりＮＷＡを持たない）ＳＲＲを表す。
＜３＞Open SRRをディスク上に確保する処理をＳＲＲのリザーブ、Open SRRのステータスをClosed に変える処理をＳＲＲのクローズと呼ぶ。
＜４＞ＳＲＲはディスク上に複数（最大７９２７個）存在することが可能であり、その中でもOpen SRRは同時に１６個まで存在することが可能である。
＜５＞書き込み対象となるＳＲＲは任意の順番で選択出来る。
【００６３】
実際の使用方法としてOpen SRRのリザーブはファイルシステムの管理領域をファイルデータの前方に確保しつつ、ディスクにファイルデータを記録した後にファイルシステムの管理情報を管理領域に記録する場合に使用されている。
図１１（ｃ）は、シーケンシャル記録モードで記録を行っている時のディスクのサンプルレイアウトを示している。
このディスク上には４つのＳＲＲ（ＳＲＲ＃１〜ＳＲＲ＃４）が存在し、ＳＲＲ＃１、ＳＲＲ＃３、ＳＲＲ＃４ がOpen SRRでＳＲＲ＃２がClosed SRRである。
このディスクに追記する場合、ＮＷＡ１、ＮＷＡ３、ＮＷＡ４のいずれからも記録が可能である。
【００６４】
このようなＳＲＲを管理する情報として、上記ＴＤＭＳアップデートユニットによりＳＲＲＩが記録される。
図１２にＳＲＲＩの構成を示す。
ＳＲＲＩはデータフレーム１〜３１の大きさで構成される。
図１２の相対データフレームナンバ（Relative Data Frame）はクラスタ内の各データフレームを示す。上述したようにＳＲＲＩは、ＴＤＭＳアップデートユニットの最終データフレーム３１に記録されるＴＤＤＳの直前に配置されるため、ＳＲＲＩがＭセクタのサイズであるとすると、ＳＲＲＩはデータフレーム（３１−Ｍ）〜データフレーム３０に配置される。またデータフレーム内のバイト位置（Byte position in Data frame）は各データフレームの内部のバイト位置を示す。
【００６５】
ＳＲＲＩの先頭から６４バイトは、ＳＲＲＩの管理情報を収めるＳＲＲＩヘッダ（SRRI Header）とされる。
ＳＲＲＩヘッダは ＳＲＲＩクラスタであることを認識する情報、バージョン、ＳＲＲＩアップデート（ＳＲＲＩ記録更新）回数、ＳＲＲエントリ（ＳＲＲの情報を示すブロック）の総数等の情報で構成される。
続くバイト位置６４以降は、複数のＳＲＲエントリによるリスト（List of SRRI Entries）とされる。
リスト（List of SRRI Entries）に含まれる一つ一つのＳＲＲエントリの大きさは８バイトである。Ｎ個のＳＲＲエントリが存在する場合、リストの大きさはＮ×８バイトとなる。
最後のＳＲＲエントリの直後は、８バイトのＳＲＲＩ終端（SRRI Terminator）が配置され、以降そのクラスタの最後までが０で埋められる。
【００６６】
ＳＲＲＩヘッダの構成を図１３（ａ）に示す。
バイト位置０〜１の２バイトは、ＳＲＲＩの管理情報を収めるＳＲＲＩ−ＩＤ（SRRI Identifier）とされる。
バイト位置２の１バイトは、ＳＲＲＩフォーマットのバージョンを示すＳＲＲＩフォーマット（SRRI Format）とされる。
バイト位置４〜７の４バイトは、ＳＲＲＩの更新回数を表すＳＲＲＩアップデートカウント（SRRI Update Count）とされる。
バイト位置１２〜１５の４バイトは、ＳＲＲエントリの合計数を表すＳＲＲエントリ数（Number of SRR Entries）とされる。
バイト位置１６の１バイトは、ステータスがオープンになっているＳＲＲの総数を表すオープンＳＲＲ数（Number of Open SRRs）とされる。
バイト位置２０からは、全ての Open SRR 番号をまとめたリスト（List of Open SRR Numbers）が記録される。
このリスト（List of Open SRR Numbers）の構造を図１３（ｂ）に示す。各Open SRR番号が２バイトずつ、合計１６個分の大きさを持ち、３２バイトある。Open SRR の総数が１６個に満たない場合、リスト（List of Open SRR Numbers ）の残りの部分は０で埋められる。また、リスト（List of Open SRR Numbers）は Open SRR の総数が増減するたびにその内容を修正し降順にソートする必要がある。
【００６７】
このようなＳＲＲＩヘッダに続いて、図１２のエントリーリスト（List of SRRI Entries）に登録されることになるＳＲＲエントリの構成を図１４に示す。エントリナンバをｉとする。
それぞれが或るＳＲＲを示すことになる個々のＳＲＲエントリは８バイト（６４ビット）で構成される。
ビットｂ63〜ｂ60の４ビットはリザーブ（未定義）である。
ビットｂ59〜ｂ32の２８ビットは、ユーザデータ領域に存在するＳＲＲ＃ｉのスタートアドレスとされる。つまりＳＲＲ＃ｉの開始クラスタの先頭のＰＳＮが示される。
ビットｂ31はセッションスタートとされ、このＳＲＲがセッション最初のＳＲＲであるかどうかを示すビットとされる。このビットが１のとき、このＳＲＲがセッションの最初のＳＲＲ、すなわちこのＳＲＲからセッションが始まっている事を示している。
ビットｂ30〜ｂ28の３ビットはリザーブ（未定義）とされる。
ビットｂ27〜ｂ0の２８ビットではＳＲＲ＃ｉ内のＬＲＡ（Last Recorded Address：図１１参照）がＰＳＮにより示される。
【００６８】
以上のようにＳＲＲＩヘッダ及びＳＲＲエントリを含むＳＲＲＩにより、ユーザデータ領域に存在する各ＳＲＲの数やアドレス、さらには各ＳＲＲのＬＲＡが管理されることになる。また上述したようにオープンＳＲＲのＮＷＡ（Next Writable Address）は、そのＳＲＲに対応するＳＲＲエントリにおけるＬＲＡ（Last Recorded Address）の値から算出できる。
このようなＳＲＲＩは、ＳＲＲがリザーブされた場合、ＳＲＲ内のＮＷＡから追記が行われた場合、ＳＲＲがクローズされた場合など、ＳＲＲの管理状態の更新が必要なときに、上記ＴＤＭＳアップデートユニットにＳＲＲＩが含まれるかたちで更新される。
【００６９】
３−５  交替領域を用いた交替処理。
ここで、ＩＳＡ、ＯＳＡとしての固定の交替領域を用いた交替処理を説明しておく。
ＩＳＡ（インナースペアエリア：内周側交替領域）およびＯＳＡ（アウタースペアエリア：外周側交替領域）は欠陥クラスタの交替処理のための交替領域としてデータゾーン内の内周側と外周側に確保される。
ＩＳＡ、ＯＳＡのサイズは上述のＤＤＳ，ＴＤＤＳ内で定義される。
ＩＳＡ、ＯＳＡの大きさ（サイズ）は初期化時に決定され、その後の大きさも固定である。
【００７０】
これらＩＳＡ、ＯＳＡを用いた欠陥クラスタの交替処理は、次のように行われる。
例えばホスト装置からの要求によるデータ書込時に、その書込アドレスとして指定されたクラスタが欠陥クラスタであった場合、適正なデータ記録が実行できない。その場合、記録しようとするデータを、ＩＳＡ又はＯＳＡ内の或るクラスタに書き込むようにする。これが交替処理である。
この交替処理が上記のＤＦＬエントリとして管理される。つまりデータ記録が実行できない欠陥クラスタのアドレスが交替元、ＩＳＡ又ＯＳＡ内にデータを書き込んだクラスタのアドレスが交替先として、１つのＤＦＬエントリが登録される。
【００７１】
なお、記録済みアドレスに対する書き込み、つまりデータ書換の要求があった場合に、対象アドレスに書き込むデータを実際に記録するための交替先は、ユーザデータ領域内、例えばＳＲＲ内のＮＷＡなどが選択される。
データ書換の場合も、その交替に応じたＬＯＷエントリが登録されれば良い。書換によるデータ位置の交替をＴＤＭＡ内のＴＤＦＬにおけるＬＯＷエントリで管理するようにすることで、ライトワンス型のディスクでありながら、実質的に（例えばホストシステムのＯＳ、ファイルシステム等から見て）データ書換を実現することができる。
【００７２】
３−６  次ＴＤＭＡへの追記処理。
図１５は、次ＴＤＭＡへの追記処理について説明するための図として、リードインゾーンとデータゾーンの境界部分と、リードインゾーン内に設けられるＴＤＭＡ０内の構造とを模式的に示している。この場合、インナースペアエリア内にはＴＤＭＡ１が設定されている。
先にも述べたように、リードインゾーン内のＴＤＭＡ０の先頭３クラスタは、アクセスインジケータの記録領域として割り当てられている。図１５（ａ）にも示されているように、先頭のクラスタＣＬ０はＤＭＡアクセスインジケータ、次のクラスタＣＬ１はＴＤＭＡ２アクセスインジケータ、さらに次のクラスタＣＬ２はＴＤＭＡ１アクセスインジケータとなる。この図１５（ａ）の状態では、ＴＤＭＡ１アクセスインジケータ、ＴＤＭＡ２アクセスインジケータ、ＤＭＡアクセスインジケータの何れの領域も未書き込みであり、またＴＤＭＡ０のＴＤＭＳ書き込み領域に対してもデータ未書き込みとされている。すなわち、この図１５（ａ）では、ディスクがブランクディスクである場合を示している。
【００７３】
ここで、図１５（ａ）に示す状態から例えばユーザデータエリアに対する記録が数度行われたことに伴って、図１５（ｂ）、図１５（ｃ）に示されるように、ＴＤＭＡ０のＴＤＭＳ書き込み領域内に対しＴＤＭＳアップデートユニットがＴＤＭＳ１、ＴＤＭＳ２・・・と徐々に追記されていったとする。
なお、このような図１５（ａ）から図１５（ｂ）→図１５（ｃ）の遷移として示されているように、ＴＤＭＡ０内においてＴＤＭＳアップデートユニットの追記が行われる限りでは、何れのＴＤＭＡアクセスインジケータにも情報記録は行われないものとなる。すなわち、ＴＤＭＡアクセスインジケータが未書き込みであることは、ブランクディスク、或いはＴＤＭＡ０内に最新のＴＤＭＳがある場合を表す。
【００７４】
上記のようにして徐々にＴＤＭＳの追記が行われて、例えばＮ回目のＴＤＭＳアップデートユニットの追記（ＴＤＭＳｎの追記）時、図１５（ｄ）に示すようにしてＴＤＭＡ０のＴＤＭＳ書き込み領域内にＴＤＭＳｎを書き込むことのできる空き領域がなくなってしまったとする。
このように追記のための領域が無くなってしまった場合に新たなＴＤＭＡに対するＴＤＭＳの追記が行われる。
【００７５】
但しこの場合、直ちに次のＴＤＭＡ１に対してＴＤＭＳを追記するのではなく、図１５（ｅ）に示されるようにして、ＴＤＭＡ０のＴＤＭＳ書き込み領域内の残りの領域をパディング（Padding）するようにされる。すなわち、ＴＤＭＡ０のＴＤＭＳ書き込み領域内の残りの領域を０で埋めるということが行われる。
【００７６】
そしてその後に、ＴＤＭＡ１内にＴＤＭＳ（この場合はＴＤＭＳｎ）の追記を行う。
なお、図示による説明は省略するが、ＴＤＭＡ２に対して新たにＴＤＭＳを追記する場合としても、同様にその前のＴＤＭＡ１に空白領域が残る場合には、その領域に対するパディングを行うようにされる。
【００７７】
また、このように次のＴＤＭＡに対するＴＤＭＳの追記を行う際には、これに併せて、対応するＴＤＭＡアクセスインジケータ内に情報を記録するようにされる。上記のようにＴＤＭＡ１に対して初めてＴＤＭＳを追記する場合には、ＴＤＭＡ１アクセスインジケータに情報記録を行う。また、ＴＤＭＡ２に対して初めてＴＤＭＳを追記する場合にはＴＤＭＡ２アクセスインジケータに情報記録を行う。
【００７８】
ここで、図１６は、このように次ＴＤＭＡに初めて追加が行われることに応じて情報記録が行われた場合の、ＴＤＭＡアクセスインジケータ内のデータ構造を示している。この図１６に示されるように、ＴＤＭＡアクセスインジケータのデータ構造としては、その全３２セクター分の領域が最新のＴＤＤＳのコピー３２個で埋め尽くされたものとなる。
つまり、ＴＤＭＡ１への初回の追記に応じては、当該ＴＤＭＡ１内に追記されるＴＤＭＳ内のＴＤＤＳのコピーによってＴＤＭＡ１アクセスインジケータ内が埋め尽くされる。同様に、ＴＤＭＡ２への初回の追記に応じては、当該ＴＤＭＡ２内に追記されるＴＤＭＳ内のＴＤＤＳのコピーによってＴＤＭＡ２アクセスインジケータ内が埋め尽くされることになる。
先の図８で説明したように、ＴＤＤＳ内には、ＴＤＭＡのサイズの情報が格納されており、その情報（及び固定とされるＴＤＭＡ１の先頭アドレス、ＴＤＭＡ２の終了アドレス）から、各ＴＤＭＡの先頭アドレス、終了アドレスを計算することができる。そして、これら先頭アドレスと終了アドレスとが求まれば、それらの間の最終記録済みアドレスを調べることで、アクセスインジケータが示すＴＤＭＡ内の最新のＴＤＭＳのＴＤＤＳを得ることができる。先に説明したようにＴＤＤＳはＴＤＭＳ内の最終セクタに書き込まれるものである。
【００７９】
このようにしてＴＤＭＡアクセスインジケータは、その書き込み有無によって最新ＴＤＭＳがどのＴＤＭＡに存在するかということを示す機能を有すると共に、上記のように最新のＴＤＤＳの場所を指し示すための機能も併せ持つ。
【００８０】
なお、図示による説明は省略したが、ＤＭＡアクセスインジケータ内には、ディスクのファイナライズ時、その時点での最新のＴＤＤＳに基づき生成されるＤＤＳが埋め尽くされることになる。つまりＤＭＡアクセスインジケータとしては、その書き込み有無によってディスクがファイナライズ済みであるか否かを示すと共に、その情報内容によってＤＤＳの場所を指し示す機能を有する。
【００８１】
４．ディスクドライブ装置の構成。
次に、上記のようなライトワンス型のディスクに対応するディスクドライブ装置（ディスクドライブ装置１０）の構成例を図１７で説明する。
ディスクドライブ装置１０は、ライトワンス型のディスク、例えば図１のプリレコーデッド情報領域ＰＩＣのみが形成されている状態であって、ライトワンス領域は何も記録されていない状態のディスクに対してフォーマット処理を行うことで、図１で説明した状態のディスクレイアウトを形成することができるものとし、また、そのようなフォーマット済のディスクに対してユーザデータ領域にデータの記録再生を行なう。また必要時において、ＴＤＭＡの更新も行うものである。
【００８２】
図１７においてディスクドライブ装置１０に装填されるディスク１は上述したライトワンス型のディスクである。なお、ディスクドライブ装置１０は、リライタブルディスクに対する記録再生やＲＯＭディスクに対する再生も可能とされる。
ディスク１は、図示しないターンテーブルに積載され、記録／再生動作時においてスピンドルモータ５２によって一定線速度（ＣＬＶ）で回転駆動される。
そして光学ピックアップ（光学ヘッド）５１によってディスク１上のグルーブトラックのウォブリングとして埋め込まれたＡＤＩＰアドレスやプリレコーデッド情報としての管理／制御情報の読み出しがおこなわれる。
また初期化フォーマット時や、ユーザデータ記録時には光学ピックアップによってライトワンス領域におけるトラックに、管理／制御情報やユーザデータが記録され、再生時には光学ピックアップによって記録されたデータの読出が行われる。
【００８３】
ピックアップ５１内には、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタに導く光学系（図示せず）が形成される。
ピックアップ５１内において対物レンズは二軸機構によってトラッキング方向及びフォーカス方向に移動可能に保持されている。
またピックアップ５１全体はスレッド機構５３によりディスク半径方向に移動可能とされている。
またピックアップ５１におけるレーザダイオードはレーザドライバ６３からのドライブ信号（ドライブ電流）によってレーザ発光駆動される。
【００８４】
ディスク１からの反射光情報はピックアップ５１内のフォトディテクタによって検出され、受光光量に応じた電気信号とされてマトリクス回路５４に供給される。
マトリクス回路５４には、フォトディテクタとしての複数の受光素子からの出力電流に対応して電流電圧変換回路、マトリクス演算／増幅回路等を備え、マトリクス演算処理により必要な信号を生成する。
例えば再生データに相当する高周波信号（再生データ信号）、サーボ制御のためのフォーカスエラー信号、トラッキングエラー信号などを生成する。
さらに、グルーブのウォブリングに係る信号、即ちウォブリングを検出する信号としてプッシュプル信号を生成する。
なお、マトリクス回路５４は、ピックアップ５１内に一体的に構成される場合もある。
マトリクス回路５４から出力される再生データ信号はリーダ／ライタ回路５５へ、フォーカスエラー信号及びトラッキングエラー信号はサーボ回路６１へ、プッシュプル信号はウォブル回路５８へ、それぞれ供給される。
【００８５】
リーダ／ライタ回路５５は、再生データ信号に対して２値化処理、ＰＬＬによる再生クロック生成処理等を行い、ピックアップ５１により読み出されたデータを再生して、変復調回路５６に供給する。
変復調回路５６は、再生時のデコーダとしての機能部位と、記録時のエンコーダとしての機能部位を備える。
再生時にはデコード処理として、再生クロックに基づいてランレングスリミテッドコードの復調処理を行う。
またＥＣＣエンコーダ／デコーダ５７は、記録時にエラー訂正コードを付加するＥＣＣエンコード処理と、再生時にエラー訂正を行うＥＣＣデコード処理を行う。
再生時には、変復調回路５６で復調されたデータを内部メモリに取り込んで、エラー検出／訂正処理及びデインターリーブ等の処理を行い、再生データを得る。
ＥＣＣエンコーダ／デコーダ５７で再生データにまでデコードされたデータは、システムコントローラ６０の指示に基づいて、読み出され、インターフェース６４を介して接続されたホスト装置１２０、例えばパーソナルコンピュータやＡＶ（Audio-Visual）機器などに転送される。
【００８６】
グルーブのウォブリングに係る信号としてマトリクス回路５４から出力されるプッシュプル信号は、ウォブル回路５８において処理される。ＡＤＩＰ情報としてのプッシュプル信号は、ウォブル回路５８においてＡＤＩＰアドレスを構成するデータストリームに復調されてアドレスデコーダ５９に供給される。
アドレスデコーダ５９は、供給されるデータについてのデコードを行い、アドレス値を得て、システムコントローラ６０に供給する。
またアドレスデコーダ５９はウォブル回路５８から供給されるウォブル信号を用いたＰＬＬ処理でクロックを生成し、例えば記録時のエンコードクロックとして各部に供給する。
【００８７】
また、グルーブのウォブリングに係る信号としてマトリクス回路５４から出力されるプッシュプル信号として、プリレコーデッド情報ＰＩＣとしてのプッシュプル信号は、ウォブル回路５８においてバンドパスフィルタ処理が行われてリーダ／ライタ回路５５に供給される。そして２値化され、データビットストリームとされた後、ＥＣＣエンコーダ／デコーダ５７でＥＣＣデコード、デインターリーブされて、プリレコーデッド情報としてのデータが抽出される。抽出されたプリレコーデッド情報はシステムコントローラ６０に供給される。
システムコントローラ６０は、読み出されたプリレコーデッド情報に基づいて、各種動作設定処理やコピープロテクト処理等を行うことができる。
【００８８】
記録時には、ホスト装置１２０から記録データが転送されてくるが、その記録データはインターフェース６４を介してＥＣＣエンコーダ／デコーダ５７におけるメモリに送られてバッファリングされる。
この場合ＥＣＣエンコーダ／デコーダ５７は、バファリングされた記録データのエンコード処理として、エラー訂正コード付加やインターリーブ、サブコード等の付加を行う。
またＥＣＣエンコードされたデータは、変復調回路５６において例えばＲＬＬ（１−７）ＰＰ方式の変調が施され、リーダ／ライタ回路５５に供給される。
記録時においてこれらのエンコード処理のための基準クロックとなるエンコードクロックは上述したようにウォブル信号から生成したクロックを用いる。
【００８９】
エンコード処理により生成された記録データは、リーダ／ライタ回路５５で記録補償処理として、記録層の特性、レーザー光のスポット形状、記録線速度等に対する最適記録パワーの微調整やレーザドライブパルス波形の調整などが行われた後、レーザドライブパルスとしてレーザードライバ６３に送られる。
レーザドライバ６３では供給されたレーザドライブパルスをピックアップ５１内のレーザダイオードに与え、レーザ発光駆動を行う。これによりディスク１に記録データに応じたピットが形成されることになる。
なお、レーザドライバ６３は、いわゆるＡＰＣ回路（Auto Power Control）を備え、ピックアップ５１内に設けられたレーザパワーのモニタ用ディテクタの出力によりレーザ出力パワーをモニターしながらレーザーの出力が温度などによらず一定になるように制御する。記録時及び再生時のレーザー出力の目標値はシステムコントローラ６０から与えられ、記録時及び再生時にはそれぞれレーザ出力レベルが、その目標値になるように制御する。
【００９０】
サーボ回路６１は、マトリクス回路５４からのフォーカスエラー信号、トラッキングエラー信号から、フォーカス、トラッキング、スレッドの各種サーボドライブ信号を生成しサーボ動作を実行させる。
即ちフォーカスエラー信号、トラッキングエラー信号に応じてフォーカスドライブ信号、トラッキングドライブ信号を生成し、ピックアップ５１内の二軸機構のフォーカスコイル、トラッキングコイルを駆動することになる。これによってピックアップ５１、マトリクス回路５４、サーボ回路６１、二軸機構によるトラッキングサーボループ及びフォーカスサーボループが形成される。
またサーボ回路６１は、システムコントローラ６０からのトラックジャンプ指令に応じて、トラッキングサーボループをオフとし、ジャンプドライブ信号を出力することで、トラックジャンプ動作を実行させる。
またサーボ回路６１は、トラッキングエラー信号の低域成分として得られるスレッドエラー信号や、システムコントローラ６０からのアクセス実行制御などに基づいてスレッドドライブ信号を生成し、スレッド機構５３を駆動する。スレッド機構５３には、図示しないが、ピックアップ５１を保持するメインシャフト、スレッドモータ、伝達ギア等による機構を有し、スレッドドライブ信号に応じてスレッドモータを駆動することで、ピックアップ５１の所要のスライド移動が行なわれる。
【００９１】
スピンドルサーボ回路６２はスピンドルモータ２をＣＬＶ回転させる制御を行う。
スピンドルサーボ回路６２は、ウォブル信号に対するＰＬＬ処理で生成されるクロックを、現在のスピンドルモータ５２の回転速度情報として得、これを所定のＣＬＶ基準速度情報と比較することで、スピンドルエラー信号を生成する。
またデータ再生時においては、リーダ／ライタ回路５５内のＰＬＬによって生成される再生クロック（デコード処理の基準となるクロック）が、現在のスピンドルモータ５２の回転速度情報となるため、これを所定のＣＬＶ基準速度情報と比較することでスピンドルエラー信号を生成することもできる。
そしてスピンドルサーボ回路６２は、スピンドルエラー信号に応じて生成したスピンドルドライブ信号を出力し、スピンドルモータ６２のＣＬＶ回転を実行させる。
またスピンドルサーボ回路６２は、システムコントローラ６０からのスピンドルキック／ブレーキ制御信号に応じてスピンドルドライブ信号を発生させ、スピンドルモータ２の起動、停止、加速、減速などの動作も実行させる。
【００９２】
以上のようなサーボ系及び記録再生系の各種動作はマイクロコンピュータによって形成されたシステムコントローラ６０により制御される。
システムコントローラ６０は、ホスト装置１２０からのコマンドに応じて各種処理を実行する。
例えばホスト装置１２０から書込命令（ライトコマンド）が出されると、システムコントローラ６０は、まず書き込むべきアドレスにピックアップ５１を移動させる。そしてＥＣＣエンコーダ／デコーダ５７、変復調回路５６により、ホスト装置１２０から転送されてきたデータ（例えばＭＰＥＧ方式のビデオデータや、オーディオデータ等）について上述したようにエンコード処理を実行させる。そして上記のようにリーダ／ライタ回路５５からのレーザドライブパルスがレーザドライバ６３に供給されることで、記録が実行される。
また例えばホスト装置１２０から、ディスク１に記録されている或るデータ（ＭＰＥＧ方式のビデオデータ等）の転送を求めるリードコマンドが供給された場合は、まず指示されたアドレスを目的としてシーク動作制御を行う。即ちサーボ回路６１に指令を出し、シークコマンドにより指定されたアドレスをターゲットとするピックアップ５１のアクセス動作を実行させる。
その後、その指示されたデータ区間のデータをホスト装置１２０に転送するために必要な動作制御を行う。即ちディスク１からのデータ読出を行い、リーダ／ライタ回路５５、変復調回路５６、ＥＣＣエンコーダ／デコーダ５７におけるデコード／バファリング等を実行させ、要求されたデータを転送する。
なお、これらのデータの記録再生時には、システムコントローラ６０は、ウォブル回路５８及びアドレスデコーダ５９によって検出されるＡＤＩＰアドレスを用いてアクセスや記録再生動作の制御を行うことができる。
【００９３】
また、ディスク１が装填された際など所定の時点で、システムコントローラ６０は、ディスク１のＢＣＡにおいて記録されたユニークＩＤや（ＢＣＡが形成されている場合）、再生専用領域にウォブリンググルーブとして記録されているプリレコーデッド情報（ＰＩＣ）の読出を実行させる。
その場合、まずＢＣＡ、プリレコーデッドデータゾーンＰＲを目的としてシーク動作制御を行う。即ちサーボ回路６１に指令を出し、ディスク最内周側へのピックアップ５１のアクセス動作を実行させる。
その後、ピックアップ５１による再生トレースを実行させ、反射光情報としてのプッシュプル信号を得、ウォブル回路５８、リーダ／ライタ回路５５、ＥＣＣエンコーダ／デコーダ５７によるデコード処理を実行させ、ＢＣＡ情報やプリレコーデッド情報としての再生データを得る。
システムコントローラ６０はこのようにして読み出されたＢＣＡ情報やプリレコーデッド情報に基づいて、レーザパワー設定やコピープロテクト処理等を行う。
【００９４】
図１７ではシステムコントローラ６０内にキャッシュメモリ６０ａを示している。このキャッシュメモリ６０ａは、例えばディスク１のＴＤＭＡから読み出したＴＤＤＳ／ＴＤＦＬ／ＳＲＲＩ等の保持や、その更新に利用される。
システムコントローラ６０は、例えばファイナライズされていないディスク１が装填された際には、各部を制御してＴＤＭＡに記録されたＴＤＤＳ／ＴＤＦＬ／ＳＲＲＩの読出を実行させ、読み出された情報をキャッシュメモリ６０ａに保持する。
その後、データ書込／書換や欠陥による交替処理が行われた際には、キャッシュメモリ６０ａ内でＳＲＲＩやＴＤＦＬなどを更新していく。
例えばデータの書込や、データ書換等で交替処理が行われ、ＳＲＲＩ又はＴＤＦＬの更新を行う際に、その都度ディスク１のＴＤＭＡ（又はＡＴＤＭＡ）において、ＴＤＭＳアップデートユニットを追加記録しても良いのであるが、そのようにすると、ディスク１のＴＤＭＡの消費が早まってしまう。
そこで、例えばデータ追記が行われてＳＲＲＩとしてのＬＲＡ（Last Recorded Address）が更新される場合などは、或る程度の回数はキャッシュメモリ６０ａ内でＳＲＲＩを更新しておき、ある時点でキャッシュメモリ内で更新されてきたＳＲＲＩをＴＤＭＳアップデートユニットによりディスク１に記録するような手法を採る。
また例えばディスク１がディスクドライブ装置からイジェクト（排出）されるまでの間は、キャッシュメモリ６０ａ内でＴＤＦＬ／ＳＲＲＩの更新を行っておき、イジェクト時などにおいて、キャッシュメモリ６０ａ内の最終的な（最新の）ＴＤＦＬ／ＳＲＲＩを、ディスク１のＴＤＭＡに書き込むようにするなどの手法も考えられる。
【００９５】
ホスト装置１２０は、例えばパーソナルコンピュータ等とされる場合、ＣＰＵ１０１，インターフェース１０２，ＨＤＤ１０３、ＲＯＭ／ＲＡＭ１０４、ユーザインターフェース１０５を有する構成とされる。
インターフェース１０２はディスクドライブ装置１０との間のコマンドや記録再生データの通信を行う。
ＨＤＤ（ハードディスクドライブ）１０３は、ＡＶデータやアプリケーションプログラム等の格納に使用される。
ＲＯＭ／ＲＡＭ１０４は、ＣＰＵ１０１で起動されるプログラムの格納やＣＰＵ１０１のワーク領域として用いられる。
ユーザインターフェース１０５は、例えばモニタディスプレイ等の映像／文字などの表示部、スピーカ等の音声出力部、キーボードやスイッチ等の操作入力部など、ユーザーに対する入出力を行う部位又は装置を示している。
このようなホスト装置１２０は、ＣＰＵ１０１で起動されるアプリケーションプログラムに従って、ディスクドライブ装置１０をＡＶデータのストレージ機器として利用する装置となる。
なお、このホスト装置１２０としては、実際の形態として、パーソナルコンピュータではなく、例えばビデオカメラ、オーディオシステム、ＡＶ編集装置、その他の各種機器が想定される。
【００９６】
５．インジケータを用いたディスク認識処理。
ここで、先に説明したようにして、ＴＤＭＡ０内には、ＴＤＭＡ１アクセスインジケータ、ＴＤＭＡ２アクセスインジケータが設けられ、これらＴＤＭＡアクセスインジケータは、その書き込み有無によってどのＴＤＭＡに最新ＴＤＭＳがあるかを示す。
また、ＴＤＭＡアクセスインジケータ内には、これと対応付けられたＴＤＭＡ内に初回にＴＤＭＳの記録が行われる際に、そのＴＤＭＳ内のＴＤＤＳの情報が書き込まれるものとなっている。そして、このようなアクセスインジケータ内のＴＤＤＳの情報から、ＴＤＭＡのサイズ情報を取得することができ、このサイズ情報から可変側のアドレス（先頭または終了アドレス）を計算して求まる範囲内にて最終記録済みアドレスを探索することで、該当するＴＤＭＡ内の最終的記録済みアドレスにある最新のＴＤＤＳの情報を取得することができる。
このようにして、アクセスインジケータの確認から最終的に最新ＴＤＤＳを取得してディスクに関する情報認識を行うためのディスク認識処理について、次の図１８のフローチャートを参照して説明する。
なお、この図１８においては、既にＴＤＭＡ０の先頭３クラスタ（つまりアクセスインジケータ領域）についての読み出しが行われて、この領域についての読み出しデータがキャッシュされている状態にあるとする。
【００９７】
図１８において、先ず、ステップＳ１０１では、ＤＭＡアクセスインジケータの記録状態を確認する。そして、続くステップＳ１０２で、ＤＭＡアクセスインジケータが書き込み済みか否かを判別する。ＤＭＡアクセスインジケータが書き込み済みである場合、ファイナライズ済みであること及びＤＭＡ内に最新のＤＭＳがあることが判明する。
ステップＳ１０２において、ＤＭＡアクセスインジケータが書き込み済みであるとされた場合は、ステップＳ１０３に進んでＤＭＡから最新のＤＤＳを取得する処理を行う。これによりこの図に示すディスク認識処理は完了し、次処理に移行するようにされる。
【００９８】
また、上記ステップＳ１０２において、ＤＭＡアクセスインジケータが書き込み済みでないとされた場合は、ステップＳ１０４においてＮ＝２と設定した後、続くステップＳ１０５でＴＤＭＡ[Ｎ]アクセスインジケータの記録状態を確認した上で、ステップＳ１０６にてＴＤＭＡ[Ｎ]アクセスインジケータが書き込み済みであるか否かを判別する。例えばＮ＝２の場合はＴＤＭＡ２アクセスインジケータが書き込み済みであるか否かを判別するようにされる。また、このステップＳ１０６において否定結果が得られた場合は、図示するようにしてステップＳ１０７においてＮ＝Ｎ−１とした後、続くステップＳ１０８でＮ＝０でないとされた場合に再度ステップＳ１０５→Ｓ１０６の判別処理が行われるが、この場合（Ｎ＝１の場合）はＴＤＭＡ１アクセスインジケータが書き込み済みであるか否かを判別することになる。
【００９９】
ここで、ＴＤＭＡ２アクセスインジケータ、及びＴＤＭＡ１アクセスインジケータの双方が未書き込みであった場合、上記ステップＳ１０７にてＮ＝０とされ、ステップＳ１０８において肯定結果が得られる。このようにステップＳ１０８にてＮ＝０であるとされた場合は、ステップＳ１０９においてＴＤＭＡ０のＴＤＭＳ書き込み領域内の記録状態を確認するようにされる。その上で、次のステップＳ１１０において、ＴＤＭＡ０のＴＤＭＳ書き込み領域が書き込み済みであるか否かを判別する。
【０１００】
ステップＳ１１０で書き込み済みでないとされた場合は、ステップＳ１１１に進みブランクディスクと判定する。この場合、取得すべき情報は無いので、この図に示すディスク認識処理は完了し、次処理に移行するようにされる。
【０１０１】
また、ステップＳ１１０で書き込み済みであるとされた場合は、図示するようにしてステップＳ１１４に進み、先頭アドレスＳと終了アドレスＥの間の最終的記録済みアドレスを探索する。なお、確認のために述べておくと、先に述べたようにＴＤＭＡ０は固定領域であり、その先頭アドレスＳと終了アドレスＥも固定である。
そして、続くステップＳ１１５においては、最終記録済みアドレスのＴＤＤＳを取得する。つまり、これまでの説明からも理解されるように、最新のＴＤＭＳが記録されるＴＤＭＡ内においては、その最終記録済みアドレス（最終セクタ）に最新のＴＤＤＳが書き込まれていることになるので、そのＴＤＤＳを取得するものである。
さらに、続くステップＳ１１６では、ＴＤＤＳのポインタが示すＴＤＦＬ、ＳＲＲＩの読み出しを行う。すなわち、先の図８にて説明したＴＤＤＳ内のＴＤＦＬのポインタ（バイト位置１０２０〜１１５１）とＳＲＲＩのポインタ（バイト位置１１８４〜１１８７）とに基づき、ＴＤＦＬ、ＳＲＲＩのそれぞれを読み出して取得する。
このステップＳ１１６が実行された場合、この図に示すディスク認識処理は完了し次処理に移行するようにされる。
【０１０２】
また、先のステップＳ１０６において、ＴＤＭＡ[Ｎ]アクセスインジケータが書き込み済みであるとされた場合は、ＴＤＭＡ[Ｎ]から最新情報を取得するためにステップＳ１１２以下の処理を行うようにされる。
先ず、ステップＳ１１２では、ＴＤＭＡ[Ｎ]アクセスインジケータ内のＴＤＤＳを取得する。そして、続くステップＳ１１３では、取得したＴＤＤＳ内のＴＤＭＡ[Ｎ]のサイズ情報から、ＴＤＭＡ[Ｎ]の終了アドレスＥ、または先頭アドレスＳを計算する。つまり、ＴＤＭＡ１の場合は先頭アドレスＳは固定であるので、この固定による先頭アドレスＳとＴＤＤＳ内のＴＤＭＡ１のサイズ情報とに基づき終了アドレスＥを計算する。またＴＤＭＡ２の場合は終了アドレスＥが固定とされるため、この固定による終了アドレスＥとＴＤＤＳ内のＴＤＭＡ２のサイズ情報とに基づき先頭アドレスＳを計算することになる。
【０１０３】
このようにして領域サイズが可変であるＴＤＭＡ１、ＴＤＭＡ２が最新のＴＤＭＳの記録されるＴＤＭＡであるとされた場合には、アクセスインジケータ内のＴＤＤＳに格納されるＴＤＭＡサイズの情報に基づきその先頭アドレスまたは終了アドレスを求める処理が行われる。このようにして先頭アドレスＳ、終了アドレスＥが求まった後の最新ＴＤＦＬ、ＳＲＲＩ取得処理は、先に説明したステップＳ１１４〜ステップＳ１１６の処理を実行する。
【０１０４】
６．従来のインジケータ記録処理
これまでの説明からも理解されるように、ＴＤＭＡアクセスインジケータは、ディスク認識を正しく行う上で重要な情報とされている。しかしながら、先にも述べたように現状におけるＢＤ−Ｒの仕様では、記録時にＴＤＭＡアクセスインジケータの書き込みに失敗した場合の処理に関しての規定はされていない。そのため、ドライブ装置によっては、ＴＤＭＡアクセスインジケータの書き込みに失敗してもこれが放置されてしまう場合もあると考えられる。
【０１０５】
ここで、具体的にＴＤＭＡアクセスインジケータの記録は、例えば新たなＴＤＭＡへのＴＤＭＳを記録した後に行われることが想定される。
図１９は、このようにしてＴＤＭＳの記録後にＴＤＭＡアクセスインジケータの記録を行う場合における、従来のインジケータ記録処理を示している。
図１９において、先ずステップＳ２−１においてＴＤＭＳの更新開始（ステップＳ２−１）となると、ＴＤＭＡ[Ｎ]の空き領域をチェック（Ｓ２−２）して空き領域にＴＤＭＳを記録可能か否かを判別（Ｓ２−３）する。なおこの場合、ＴＤＭＡ[Ｎ]は、その時点で最新のＴＤＤＳ（ＴＤＭＳ）の記録されるＴＤＭＡを指す。ステップＳ２−３で記録可能であるとされた場合には、ＴＤＭＡ[Ｎ]にＴＤＭＳを記録する（Ｓ２−４）。
また記録可能でないとされた場合は、先ずはＴＤＭＡ[Ｎ]が最終ＴＤＭＡであるか否か（つまりＳＬの場合はＴＤＭＡ２であるか否か）を判別（Ｓ２−５）し、最終ＴＤＭＡである場合にはＴＤＤＳの更新は行わない。また、最終ＴＤＭＡではないとされた場合には、ＴＤＭＡ[Ｎ]の領域をパディング（Ｓ２−６）する。
【０１０６】
そして、このようにＴＤＭＡ[Ｎ]の空き領域をパディングした後に、先ずはＴＤＭＡ[Ｎ＋１]の先頭にＴＤＭＳを記録する（Ｓ２−７）。その上で、ＴＤＭＡ[Ｎ＋１]アクセスインジケータに情報書込を行う（Ｓ２−８）。すなわち、ステップＳ２−７で追記したＴＤＭＳ内のＴＤＤＳのコピー３２個分でＴＤＭＡ[Ｎ＋１]アクセスインジケータ内を埋め尽くす。
【０１０７】
ここで、図１９に示すようにインジケータを後書きする場合、仮にＴＤＭＡ[Ｎ＋１]アクセスインジケータの書き込み失敗時に書き込み処理を中断したとしても、既にＴＤＭＡ[Ｎ＋１]に対してはＴＤＭＳが記録されてしまっているので、インジケータと実際の最新ＴＤＭＡとの対応を正しく表すことができなくなってしまう。具体的にその場合のディスクは、最新ＴＤＭＳがＴＤＭＡ[Ｎ＋１]にあるにも関わらず、インジケータによっては最新のＴＤＭＳが１つ前のＴＤＭＡ[Ｎ]にあることが示されてしまうものとなる。
【０１０８】
このようにしてインジケータ書き込み失敗に伴い、最新のＴＤＭＡが誤って示されてしまった場合、先の図１８に示したようなディスク認識処理が行われることによって以下のような問題が起こり得る。
先ず、上述のようにして最新のＴＤＭＡがＴＤＭＡ[Ｎ＋１]であるところがＴＤＭＡ[Ｎ]であるとされた場合、ドライブ装置は当該ＴＤＭＡ[Ｎ]の最終記録済みアドレスを探索し、そこにあるＴＤＤＳを取得するように動作するが、この場合、ＴＤＭＡ[Ｎ]の最終記録済みアドレスの部分はパディングによる０データで埋められている可能性が非常に高い。このようにＴＤＭＡ[Ｎ]がパディングされている場合、ドライブ装置としてはディスク認識のための情報を取得することができず、従ってこの場合はディスク認識自体を行うことができなくなってしまう。
【０１０９】
また、仮にＴＤＭＡ[Ｎ]がパディングされず、ＴＤＭＡ[Ｎ]の最終記録済みアドレス＝ＴＤＭＡ[Ｎ]の終了アドレスとなっていた場合であっても、ドライブ装置は当該最終記録済みアドレスにある誤ったＴＤＤＳを取得してしまうものとなり、正しいディスク認識を行うことができないものとなってしまう。
【０１１０】
７．本実施の形態のインジケータ記録処理。
そこで、本実施の形態では、ＴＤＭＡアクセスインジケータの記録に失敗した場合のリカバリ手法を提案する。すなわち、一部アクセスインジケータの記録が失敗した場合にも、アクセスインジケータの記録状態に基づき特定されるＴＤＭＡと、実際に最新の管理情報が記録されるＴＤＭＡとを適正に対応させるようにすることを目的とする。
【０１１１】
このために、本実施の形態では以下のような動作を行う。つまり、ＴＤＭＡアクセスインジケータに対して情報記録が行われることに応じ、その情報記録が成功したか否かを判別する。そして、この判別結果に基づき、上記情報記録が失敗したとされた場合は、この情報記録が失敗したＴＤＭＡアクセスインジケータに対応するＴＤＭＡの次にＴＤＭＳの記録が行われるべきＴＤＭＡに対し、最新のＴＤＭＳの記録を行った上で、この最新ＴＤＭＳが記録されたＴＤＭＡに対応するＴＤＭＡアクセスインジケータに対して情報記録を行うものとしている。
【０１１２】
図２０は、このような実施の形態としてのインジケータ記録処理について説明するための図として、ディスク１に形成されるＴＤＭＡ０、ＴＤＭＡ１、ＴＤＭＡ２を模式的に示している。なお、図中の斜線部は記録済み領域を表す。
先ず、これまでの説明からも理解されるように、ＴＤＭＡアクセスインジケータに対して情報記録が行われるのは、ＴＤＭＡ１以降のＴＤＭＡに初めてＴＤＭＳが記録される場合となる。図２０（ａ）では一例として、ＴＤＭＡ０内のＴＤＭＳ書込領域に空き領域が無くなり、ＴＤＭＡ１の先頭に新たにＴＤＭＳが記録された場合を例示している。
そして、この図２０（ａ）に示されるようにして新たなＴＤＭＡに初めてＴＤＭＳが記録されることに応じては、図２０（ｂ）に示されるように、そのＴＤＭＡと対応づけられたＴＤＭＡアクセスインジケータに対する情報記録（記録されたＴＤＭＳ内のＴＤＤＳのコピーの記録）が行われる。つまりこの場合の例では、ＴＤＭＡ１に初めてＴＤＭＳが記録されたことに応じ、このＴＤＭＡ１と対応づけられたＴＤＭＡ１アクセスインジケータに対して情報記録が行われる。
【０１１３】
ここで、先の説明によると、本実施の形態では、ＴＤＭＡアクセスインジケータに対する情報記録が行われることに応じ、当該情報記録が成功したか否かについての判別が行われる。そして、この判別の結果、情報記録が失敗したとされた場合は、この情報記録が失敗したＴＤＭＡアクセスインジケータに対応するＴＤＭＡの次にＴＤＭＳの記録が行われるべきＴＤＭＡに対し、最新のＴＤＭＳの記録を行った上で、この最新ＴＤＭＳが記録されたＴＤＭＡに対応するＴＤＭＡアクセスインジケータに対して情報記録を行うようにされる。すなわち、この場合の例であれば、図２０（ｃ）→図２０（ｄ）の遷移として示されるように、ＴＤＭＡ１に記録した最新ＴＤＭＳをＴＤＭＡ２に記録（コピー）した上で、このようにＴＤＭＳが記録されたＴＤＭＡ２に対応するＴＤＭＡ２アクセスインジケータ（つまりＴＤＭＡ１アクセスインジケータからみれば次のＴＤＭＡアクセスインジケータ）に対する情報記録を行うものとなる。
【０１１４】
このような本実施の形態としてのインジケータ記録処理によれば、或るＴＤＭＡに対応するアクセスインジケータの記録に失敗した場合にも、その次以降のＴＤＭＡに最新の管理情報があることが適正に示されるようにすることができる。つまりこれにより、一部アクセスインジケータの記録に失敗した場合にも、最終的には最新の管理情報が記録されるＴＤＭＡが正しく示されるようにすることができる。
この結果、再生側において最新の管理情報を正しく取得させ、記録媒体に関する情報認識を正しく行わせることができる。
【０１１５】
なお、上記により説明した動作によると、ＴＤＭＡアクセスインジケータへの情報記録を失敗し続けた場合には、次のＴＤＭＡへのＴＤＭＳの記録及び、そのＴＤＭＡに対応するＴＤＭＡアクセスインジケータへの情報記録が繰り返し行われることになるが、最後のＴＤＭＡアクセスインジケータの情報記録が失敗した場合、残るアクセスインジケータはＤＭＡアクセスインジケータのみとなる。
そこで、最後のＴＤＭＡアクセスインジケータへの情報記録に失敗した場合は、各ＤＭＡ（ＤＭＡ１〜ＤＭＡ４）に対する最新ＴＤＭＳ（ＤＭＳ）の記録及び、ＤＭＡアクセスインジケータへの情報記録を行う。すなわち、ディスク１をファイナライズするようにされる。
【０１１６】
次の図２１に示すフローチャートを参照して、上記により説明した実施の形態としてのインジケータ記録処理を実現するために行われるべき処理動作を説明する。なお、本実施の形態のディスクドライブ装置の構成は先の図１７において説明したものと同様であり、この図２１に示す処理動作は、図１７に示されるシステムコントローラ６０が例えば内蔵するメモリ等に格納されるプログラムに基づいて実行するものである。
また、この図に示す処理動作は、先の図１９の従来のインジケータ記録処理中に破線により囲って示したステップＳ２−７とステップＳ２−８の処理に代わる処理として実行されるものとなる。つまり、この図に示す処理動作は、次のＴＤＭＡに対して初めてＴＤＭＳの記録が行われるべき状態となったときに開始されるものとなる。
【０１１７】
図２１において、先ずステップＳ２０１では、ＴＤＭＡ[ｉ]の先頭に最新ＴＤＭＳを記録する処理を実行する。
ここで、上記[ｉ]の値は、先の図１９に示したステップＳ２−７（Ｓ２−８）における[Ｎ＋１]の値と同じ値となる。すなわちこの[ｉ]の値は、新たにＴＤＭＳの記録が行われるべきＴＤＭＡの番号を表す数値である。
このステップＳ２０１の処理として、システムコントローラ６０は、サーボ回路６１に対する指示を行って最新ＴＤＭＳを書き込むべきアドレスにピックアップ５１を移動させ、また変復調回路５６にＴＤＭＳとしてのデータを供給するなどして、ＴＤＭＡ[ｉ]の先頭部分に対する最新ＴＤＭＳの記録を実行させる。
【０１１８】
続くステップＳ２０２では、ＴＤＭＡ[ｉ]アクセスインジケータへの情報記録を行うための処理を実行する。つまり、この場合もサーボ回路６１に対する指示や変復調回路５６に対するデータ供給（この場合は最新ＴＤＭＳ内のＴＤＤＳデータを供給）などを行うことで、ＴＤＭＡ[ｉ]アクセスインジケータ内にＴＤＤＳ（３２個）を記録させる。
【０１１９】
さらに、次のステップＳ２０３では、情報記録に成功したか否かを判別する。すなわち、ＴＤＭＡ[ｉ]アクセスインジケータ内についてベリファイを行った結果に基づき、ＴＤＭＡ[ｉ]アクセスインジケータへの情報記録が成功したか否かについて判別処理を行う。
このステップＳ２０３において、ＴＤＭＡ[ｉ]アクセスインジケータへの情報記録が成功したとして肯定結果が得られた場合は、図示するようにしてこの図に示すインジケータ記録処理を終了するようにされる。
【０１２０】
一方、上記ステップＳ２０３において、ＴＤＭＡ[ｉ]アクセスインジケータへの情報記録が成功しなかなった（つまり失敗した）との否定結果が得られた場合は、ステップＳ２０４に進み、ＴＤＭＡ[ｉ]は最終ＴＤＭＡであるか否かを判別する。具体的に、この場合ディスク１はＳＬであることを前提としているので、ｉ＝２であるか否かを判別する。
【０１２１】
上記ステップＳ２０４において、ＴＤＭＡ[ｉ]が最終ＴＤＭＡではないとして否定結果が得られた場合は、ステップＳ２０５に進み、ｉの値をインクリメント（ｉ＝ｉ＋１）した後、ステップＳ２０６においてＴＤＭＡ［ｉ−１］に記録した最新ＴＤＭＳをＴＤＭＡ［ｉ］の先頭にコピーする処理を実行する。その上で、図示するようにして先のステップＳ２０２に戻り、ＴＤＭＡ[ｉ]アクセスインジケータへの情報記録を行うための処理を実行する。
なお、このようにＴＤＭＡアクセスインジケータへの情報記録に失敗したことに応じて次のＴＤＭＡに対して最新ＴＤＭＳを記録する場合において、情報記録に失敗したＴＤＭＡアクセスインジケータに対応するＴＤＭＡは、その先頭にＴＤＭＳが記録されたのみで、残り部分は空き領域となってしまう。そこで、この空き領域をパディングする処理を行ってもよい。具体的には、例えば上記ステップＳ２０５とＳ２０６の間において、ＴＤＭＡ[ｉ−１]の空き領域をパディングする処理を挿入するといったものである。
【０１２２】
また、上記ステップＳ２０４において、ＴＤＭＡ[ｉ]が最終ＴＤＭＡであるとして肯定結果が得られた場合は、ステップＳ２０７に進み、ＴＤＭＡ[ｉ]に記録した最新ＴＤＭＳをＤＭＳとして各ＤＭＡに記録する処理を実行する。
そして、続くステップＳ２０８においては、ＤＭＡの記録が成功したか否かについて判別する。すなわち、各ＤＭＡに対するＤＭＳの記録結果についてベリファイを行った結果に基づき、各ＤＭＡに対するＤＭＳの記録が成功したか否かについて判別処理を行う。
ステップＳ２０８において、記録が失敗したとして否定結果が得られた場合は、図示するようにしてエラー処理を実行する。例えば、エラーである旨をホスト装置１２０側に通知するなどの処理を実行すればよい。
またステップＳ２０８において、記録が成功したとして肯定結果が得られた場合は、ステップＳ２０９に進んでＤＭＡアクセスインジケータへの情報記録を行うための処理を実行する。すなわち、ＤＭＡアクセスインジケータに対し、最新ＴＤＭＳ内のＴＤＤＳに基づくＤＤＳを記録するための処理を実行する。つまり、これによってディスク１のファイナライズが完了したことになる。
【０１２３】
なお、これまでの説明では、ディスク１が１層ディスク（ＳＬ）である場合を例に説明を行ってきたが、本発明としては２層以上のディスクに対しても好適に適用することができる。
【０１２４】
ここで、次の図２２は、２層ディスク（ＤＬ：Dual Layer）の場合のディスクのエリア構造を示している。
図示するようにしてＤＬの場合、第１層のエリア構造は、リードアウトエリアが形成されない点を除いてはＳＬの場合のエリア構造とほぼ同様となる。但しこの場合、データゾーンは第２層のデータゾーンと区別するために「Data Zone 0」とされる。さらにデータゾーン内のインナースペアーエリア（ＩＳＡ）、アウタースペアーエリア（ＯＳＡ）としても、第２層におけるものと区別するためにそれぞれ「ＩＳＡ０」、「ＯＳＡ０」とされる。
また、この場合は第１層と第２層とで記録方向が異なるので、データゾーンより外周部分は層間折り返し部分となる。図示するようにしてこの折り返し部分はアウターゾーン（Outer Zone）と呼ばれる。第１層におけるアウターゾーンは「Outer Zone 0」、第２層におけるアウターゾーンは「Outer Zone 1」である。
【０１２５】
第２層におけるデータゾーンは「Data Zone 1」とされる。さらに、第２層におけるアウタースペアーエリアは「ＯＳＡ１」、インナースペアーエリアは「ＩＳＡ１」である。そして、第２層のデータゾーンより内周側の領域は、リードアウトエリアとされる。なお、図示するようにして第１層においてリードインエリアが形成される、データエリアより内周側領域は「Inner Zone 0」、第２層においてリードアウトエリアが形成されるデータエリアより内周側領域は「Inner Zone 1」とも呼ばれる。
【０１２６】
また、ＤＬの場合のＴＤＭＡは、図示するようにしてリードインエリアに固定のＴＤＭＡ０が、またリードアウトエリアに固定のＴＤＭＡ１が設けられる。すなわち、固定のＴＤＭＡは各層において各１個で計２個である。他のＴＤＭＡについては、第１層、第２層の双方においてインナースペアーエリア内に各１個、アウタースペアーエリア内に各１個を設定可能とされる。この場合もこれらデータゾーン内の各ＴＤＭＡは先頭アドレスまたは終了アドレスの何れか一方のみが固定とされ、サイズが可変である。図示するようにして第１層のインナースペアーエリア（ＩＳＡ０）内のＴＤＭＡはＴＤＭＡ２、アウタースペアーエリア（ＯＳＡ０）内のＴＤＭＡはＴＤＭＡ３とされる。また第２層のアウタースペアーエリア（ＯＳＡ１）内のＴＤＭＡはＴＤＭＡ４、インナースペアーエリア（ＩＳＡ１）内のＴＤＭＡはＴＤＭＡ５である。
このようにしてＤＬの場合、ＴＤＭＡは最大で６個になり得る。
【０１２７】
この図２２に示されるエリア構造に対応させるべく、ＤＬの場合、ＴＤＭＡ０内のアクセスインジケータは次の図２３に示す構造に変更される。
図２３において、この場合もアクセスインジケータはＴＤＭＡ０の先頭領域に設けられることに変わりはないが、先頭１クラスタのＤＭＡアクセスインジケータ以降のＴＤＭＡアクセスインジケータとして、この場合は計５つのアクセスインジケータが設けられる。図示するようにしてＤＭＡアクセスインジケータの次の１クラスタ（２クラスタ目）がＴＤＭＡ５アクセスインジケータとされ、次の３クラスタ目がＴＤＭＡ４アクセスインジケータ、次の４クラスタ目がＴＤＭＡ３アクセスインジケータ、その次の５クラスタ目がＴＤＭＡ２アクセスインジケータ、さらに次の６クラスタ目がＴＤＭＡ１アクセスインジケータとなる。
なお、この場合も各ＴＤＭＡアクセスインジケータの扱いはＳＬの場合と同様とされる。すなわち、ＴＤＭＡ０以降のＴＤＭＡ[ｎ]に対して初めてＴＤＭＳアップデートユニットを書き込む場合に、ＴＤＭＡ[ｎ]アクセスインジケータ内を、追加したＴＤＭＳ内のＴＤＤＳのコピーで埋め尽くすようにされる。
【０１２８】
ここで、このようなＤＬの場合、インジケータ記録処理としては、先の図２１におけるステップＳ２０４の処理においてＴＤＭＡ[ｉ]が最終ＴＤＭＡであるか否かを判別するにあたって、ｉ＝５であるか否かを判別すればよい。
【０１２９】
また、これまでの説明では、ＴＤＭＡに対するＴＤＭＳの記録を行った後に、対応するＴＤＭＡアクセスインジケータへの情報記録を行う（つまりインジケータを後書きする）ことを前提とした場合を例示したが、ＢＤ−Ｒの規格では、ＴＤＭＡアクセスインジケータを記録するタイミングについて特定に規定は為されていない。
そこで以下では、ＴＤＭＡアクセスインジケータを先書きする場合におけるインジケータ記録処理ついて説明する。
【０１３０】
先ず、次の図２４は、ＴＤＭＡアクセスインジケータを先書きすることを前提とした場合の、従来のインジケータ記録処理を示している。
この場合も、その時点で最新のＴＤＭＡ[Ｎ]の空き容量をチェックしてからＴＤＭＡ[Ｎ]の空き領域をパディングするまでの一連の処理（ステップＳ３−１〜Ｓ３−６）は、先の図１９に示したステップＳ２−１〜２−６の処理と同様となる。
図２４の場合は、ＴＤＭＡ[Ｎ]の空き領域をパディングした後、先ずはＴＤＭＡ[Ｎ＋１]アクセスインジケータに情報書込を行う（Ｓ３−７）。すなわち、この時点でドライブ装置側は、次に記録すべきＴＤＭＳの内容が分かっているので、このＴＤＭＳ内のＴＤＤＳをＴＤＭＡ[Ｎ＋１]アクセスインジケータ内に書き込むようにされる。
その後、ＴＤＭＡ[Ｎ＋１]の先頭にＴＤＭＳを記録する。
【０１３１】
この図２４に示すインジケータを先書きする場合は、ＴＤＭＡ[Ｎ＋１]アクセスインジケータの書き込みに失敗してもＴＤＭＡ[Ｎ＋１]に対するＴＤＭＳの書き込み処理が実行されてしまう可能性があり、この場合も最新ＴＤＭＳがＴＤＭＡ[Ｎ＋１]にあるにも関わらず、この場合のインジケータによっては最新のＴＤＭＳが１つ前のＴＤＭＡ[Ｎ]にあることが示されてしまう。つまりこの場合としても、再生側において正しいディスク認識を行わせることができなくなってしまう。
【０１３２】
そこで、このようにインジケータを先書きすることを前提とした場合のＴＤＭＡアクセスインジケータの記録に失敗に対するリカバリを可能とすべく、実施の形態のインジケータ記録処理としては以下のようにすることもできる。
すなわち、この場合もＴＤＭＡアクセスインジケータに対して情報記録が行われたことに応じ、当該情報記録が成功したか否かを判別する。そして、この判別の結果に基づき上記情報記録が失敗したとされた場合は、この情報記録が失敗したＴＤＭＡアクセスインジケータの次のＴＤＭＡアクセスインジケータに対して情報記録を行う。また上記情報記録が成功したとされた場合には、当該情報記録の成功したＴＤＭＡアクセスインジケータに対応するＴＤＭＡに対して最新の管理情報を記録する。
【０１３３】
図２５は、このようにインジケータの先書きを前提とした場合に対応した、実施の形態としてのインジケータ記録処理について説明するための図である。
この図２５においても、先の図２０と同様にディスク１に形成されるＴＤＭＡ０、ＴＤＭＡ１、ＴＤＭＡ２を模式的に示している。また、この場合も図中の斜線部は記録済み領域を表す。
先ず、この図２５では、ＴＤＭＡ０内のＴＤＭＳ書込領域に空き領域が無くなり、ＴＤＭＡ１に対して初めてＴＤＭＳが記録されるべき状態となった以降の動作を例示している。このようにして或るＴＤＭＡが更新に使い切られて次の新たなＴＤＭＡに初めてＴＤＭＳが記録されるべき状態となったことに応じては、先ず図２５（ａ）に示されるようにして、そのＴＤＭＡと対応づけられたＴＤＭＡアクセスインジケータに対する情報記録が行われる。つまりこの図の例では、ＴＤＭＡ１に初めてＴＤＭＳが記録されるべき状態となったことに応じ、ＴＤＭＡ１アクセスインジケータに対して情報記録が行われる。
【０１３４】
上述した動作説明によれば、このようにＴＤＭＡアクセスインジケータに対する情報記録が行われることに応じ、当該情報記録が成功したか否かについての判別が行われる。そして、この判別の結果に基づき情報記録が失敗したとされた場合は、この情報記録が失敗したＴＤＭＡアクセスインジケータの次のＴＤＭＡアクセスインジケータに対応する情報記録が行われる。つまりこの場合は、次の図２５（ｂ）のようにＴＤＭＡ２アクセスインジケータに対する情報記録が行われることになる。
そして、情報記録が成功したとされた場合には、この情報記録の成功したＴＤＭＡアクセスインジケータに対応するＴＤＭＡに対して最新の管理情報が記録される。すなわち、先の図２５（ｂ）におけるＴＤＭＡ２アクセスインジケータへの情報記録が成功したとされた場合は、図２５（ｃ）に示されるようにして、このＴＤＭＡ２アクセスインジケータに対応するＴＤＭＡ２の先頭に最新ＴＤＭＳが記録されることになる。
【０１３５】
このような動作とすることで、インジケータの先書きを前提とした場合に対応させて、或るＴＤＭＡに対応するアクセスインジケータの記録に失敗した場合にもその次以降のＴＤＭＡに最新の管理情報があることが正しく示されるようにすることができる。つまり、この場合においても、一部アクセスインジケータの記録に失敗したとしても最終的には最新の管理情報が記録されるＴＤＭＡが適正に示されるようにすることができ、結果、再生側において最新の管理情報を正しく取得させ、記録媒体に関する情報認識を正しく行わせることができる。
【０１３６】
図２６のフローチャートは、上記により説明した、インジケータの先書きを前提とした場合に対応する動作を実現するために実行させるべき処理動作を示している。
なお、この図２６に示す処理動作としても、図１７に示されるシステムコントローラ６０が例えば内蔵するメモリ等に格納されるプログラムに基づいて実行するものである。
また、この図に示す処理動作は、先の図２４における従来のインジケータ記録処理にて破線で囲って示したステップＳ３−７とステップＳ３−８の処理に代わる処理として実行されるものとなる。また、この図２６における「ｉ」の値は図２４に示される「Ｎ＋１」の値を指すものであり、つまりは新たにＴＤＭＳの記録が行われるべきＴＤＭＡの番号を表す数値となる。
【０１３７】
図２６において、先ずステップＳ３０１では、ＴＤＭＡ[ｉ]アクセスインジケータへの情報記録を行うための処理を実行する。そして、続くステップＳ３０２では、情報記録に成功したか否かを判別する。
ステップＳ３０２において、情報記録に成功したとして肯定結果が得られた場合は、図示するようにステップＳ３０５に進んでＴＤＭＡ[ｉ]の先頭に最新ＴＤＭＳを記録した後、この図に示すインジケータ記録処理を終了する。
【０１３８】
また、上記ステップＳ３０２において、情報記録に成功しなかった（失敗した）として否定結果が得られた場合は、ステップＳ３０３に進み、ＴＤＭＡ[ｉ]は最終ＴＤＭＡであるか否かを判別する。具体的に、ディスク１がＳＬである場合はｉ＝２であるか否かを判別し、ＤＬである場合はｉ＝５であるか否かを判別する。
ステップＳ３０３において、ＴＤＭＡ[ｉ]が最終ＴＤＭＡではないとして否定結果が得られた場合は、ステップＳ３０４に進んでｉの値をインクリメント（ｉ＝ｉ＋１）した後、先のステップＳ３０１に戻るようにされる。すなわち、これによって次のＴＤＭＡアクセスインジケータに対する情報記録が行われる。
【０１３９】
また、上記ステップＳ３０３において、ＴＤＭＡ[ｉ]が最終ＴＤＭＡであるとして肯定結果が得られた場合は、ディスク１をファイナライズするための処理として、ステップＳ３０６以降の処理（Ｓ３０６→Ｓ３０７→Ｓ３０８）を実行するようにされる。なお、これらステップＳ３０６〜Ｓ３０８の処理は、先の図２１に示したＳ２０７〜Ｓ２０９の処理と同様となる。なおこの場合、ステップＳ３０６で用いられる最新ＴＤＭＳは、図２１の場合のようにＴＤＭＡ［ｉ］に記録されないという点は異なる。
【０１４０】
ところで、これまでの説明では、規格上許容されるすべてのＴＤＭＡが設定されている場合を例示したが、例えばＳＬの場合、ＴＤＭＡ１、ＴＤＭＡ２については、サイズが０とされる場合もあり得る。つまり、例えばＴＤＭＡ１がサイズ０とされて、管理情報の更新がＴＤＭＡ０→ＴＤＭＡ２の順で行われるといったこともあり得る。また、ＤＬの場合、ＴＤＭＡ２〜ＴＤＭＡ５がサイズ０となる場合があり、同様に管理情報の更新はサイズ０のＴＤＭＡを飛ばして行われるといったことがあり得る。
このようにＴＤＭＡのサイズが０となる場合も想定するとしたとき、例えばインジケータ後書きを前提とする場合であれば、ＴＤＭＡアクセスインジケータへの情報記録の失敗に応じて次のＴＤＭＡに最新ＴＤＭＳを記録する場合に、当該次のＴＤＭＡのサイズが０であるか否かを確認する。そして、サイズが０でなければ、当該次のＴＤＭＡ内に最新ＴＤＭＳを記録する。一方、サイズが０であるとされた場合は、さらに次のＴＤＭＡが存在するか否か（つまり上記次のＴＤＭＡが最終ＴＤＭＡか否か）を確認した上で、上記さらに次のＴＤＭＡが存在する場合は同様にそのＴＤＭＡのサイズが０であるか否かを確認する。このようにサイズ０であるか否かの確認、サイズ０である場合はさらに次のＴＤＭＡがサイズ０であるか否かの確認を繰り返す。そして、サイズ０でないとされたＴＤＭＡについてのみ、その先頭にＴＤＭＳを記録する。
また、インジケータの先書きを前提とする場合であれば、ＴＤＭＡアクセスインジケータへの情報記録の失敗に応じて次のＴＤＭＡアクセスインジケータへの情報記録を行う場合に、当該次のＴＤＭＡアクセスインジケータに対応するＴＤＭＡのサイズが０であるか否かを確認する。そして、サイズが０でなければ、上記次のＴＤＭＡアクセスインジケータへの情報記録を行う。一方、サイズが０であるとされた場合は、さらに次のＴＤＭＡが存在するか否か（つまり上記次のＴＤＭＡが最終ＴＤＭＡか否か）を確認した上で、上記さらに次のＴＤＭＡが存在する場合は同様にそのＴＤＭＡのサイズが０であるか否かを確認する。このようにサイズ０であるか否かの確認、サイズ０である場合はさらに次のＴＤＭＡがサイズ０であるか否かの確認を繰り返す。そして、サイズ０でないとされたＴＤＭＡについてのみ、そのＴＤＭＡアクセスインジケータへの情報記録を行う。
このようにすることで、ＴＤＭＡのサイズが０とされる場合に対応可能とすることができる。
【０１４１】
以上、本発明の実施の形態について説明したが、本発明としてこれまでに説明した具体例に限定されるべきものではない。
例えば、これまでの説明では、ライトワンスメディアについて本発明が適用される場合を例示したが、リライタブルメディアであっても本発明は好適に適用できる。
また、これまでの説明では、本発明がディスク状の記録媒体に対応する場合を例示したが、本発明としてはディスク状以外の形状による記録媒体とされる場合にも好適に適用することができ、その場合も実施の形態の場合と同様の効果を得ることができる。
すなわち本発明としては、「ユーザデータの記録が可能なユーザデータ記録領域と、
上記ユーザデータ記録領域に対するデータ記録に応じて更新されるべき一時的な管理情報が順次記録される第１の一時管理情報記録領域と、
上記第１の一時管理情報記録領域が上記一時的な管理情報の更新に使い切られた場合に新たに上記一時的な管理情報の記録が順次行われていくことになる一または複数の第２の一時管理情報記録領域と、
上記第２の一時管理情報記録領域の個々に対応づけられて設けられ、その情報書込の有無によって上記第２の一時管理情報記録領域の個々の利用状況を提示する領域利用状況提示領域と、が設けられている記録媒体」とされる場合であれば、これを好適に適用することができる。
【０１４２】
また、これまでの説明では、本発明の再生装置がホスト装置と接続される構成とされる場合を例示したが、他の機器に接続されない形態もあり得る。その場合は、操作部や表示部が設けられたり、データ入出力のインタフェース部位の構成が、図１７とは異なるものとなる。つまり、ユーザ操作に応じて記録や再生が行われるとともに、各種データの入出力のための端子部が形成されればよい。
また、これまでの説明では本発明の記録装置が再生も可能な記録再生装置とされる場合を例示したが、再生機能を持たない記録専用装置とすることも勿論可能である。
【図面の簡単な説明】
【０１４３】
【図１】本発明の実施の形態のディスクのエリア構造の説明図である。
【図２】実施の形態のディスクの管理／制御情報領域の構造例、及びスペアエリア内に設定可能なＴＤＭＡを示した説明図である。
【図３】実施の形態のディスクのＤＭＡの説明図である。
【図４】実施の形態のディスクのＤＤＳの説明図である。
【図５】実施の形態のディスクのＴＤＭＡ０の構造の説明図である。
【図６】実施の形態のＴＤＭＳアップデートユニットの説明図である。
【図７】実施の形態のＴＤＭＳアップデートユニットの追記状態の説明図である。
【図８】実施の形態のディスクのＴＤＤＳの説明図である。
【図９】実施の形態のディスクのＴＤＦＬの説明図である。
【図１０】実施の形態のディスクのＤＦＬエントリの説明図である。
【図１１】実施の形態のディスクのＳＲＲの説明図である。
【図１２】実施の形態のディスクのＳＲＲＩの説明図である。
【図１３】実施の形態のディスクのＳＲＲＩヘッダの説明図である。
【図１４】実施の形態のディスクのＳＲＲエントリの説明図である。
【図１５】次ＴＤＭＡへの追記処理についての説明図である。
【図１６】ＴＤＭＡアクセスインジケータ内のデータ構造を示した図である。
【図１７】実施の形態のディスクドライブ装置の内部構成を示したブロック図である。
【図１８】インジケータを用いたディスク認識処理について説明するための図である。
【図１９】従来のインジケータ記録処理（インジケータ後書きの場合）について説明するための図である。
【図２０】実施の形態としてのインジケータ記録処理（インジケータ後書き）について説明するための図である。
【図２１】実施の形態としてのインジケータ記録処理（インジケータ後書き）を実現するための処理動作について示したフローチャートである。
【図２２】２層ディスクの場合のディスクのエリア構造例を示した図である。
【図２３】２層ディスクの場合のＴＤＭＡ０の構造例を示した図である。
【図２４】従来のインジケータ記録処理（インジケータ先書きの場合）について説明するための図である。
【図２５】実施の形態としてのインジケータ記録処理（インジケータ先書き）について説明するための図である。
【図２６】実施の形態としてのインジケータ記録処理（インジケータ先書き）を実現するための処理動作について示したフローチャートである。
【符号の説明】
【０１４４】
１  ディスク、１０  ディスクドライブ装置、５１  ピックアップ、５２  スピンドルモータ、５３  スレッド機構、５４  マトリクス回路、５５  リーダ／ライタ回路、５６  変復調回路、５７  ＥＣＣエンコーダ／デコーダ、５８  ウォブル回路、５９  アドレスデコーダ、６０  システムコントローラ、６０ａ  キャッシュメモリ、６１  サーボ回路、６２  スピンドルサーボ回路、６３  レーザドライバ、６４，１０２  インターフェース、１０１  ＣＰＵ、１２０  ホスト装置
【図１】
2008305518.tif 000003
【図２】
2008305518.tif 000004
【図３】
2008305518.tif 000005
【図４】
2008305518.tif 000006
【図５】
2008305518.tif 000007
【図６】
2008305518.tif 000008
【図７】
2008305518.tif 000009
【図８】
2008305518.tif 000010
【図９】
2008305518.tif 000011
【図１０】
2008305518.tif 000012
【図１１】
2008305518.tif 000013
【図１２】
2008305518.tif 000014
【図１３】
2008305518.tif 000015
【図１４】
2008305518.tif 000016
【図１５】
2008305518.tif 000017
【図１６】
2008305518.tif 000018
【図１７】
2008305518.tif 000019
【図１８】
2008305518.tif 000020
【図１９】
2008305518.tif 000021
【図２０】
2008305518.tif 000022
【図２１】
2008305518.tif 000023
【図２２】
2008305518.tif 000024
【図２３】
2008305518.tif 000025
【図２４】
2008305518.tif 000026
【図２５】
2008305518.tif 000027
【図２６】
2008305518.tif 000028